(57)【要約】【課題】通信対象の無線タグ回路素子の種類に関係なく、速やかにかつ容易に通信可能な状態とする。【解決手段】無線タグ情報通信装置２は、カートリッジ１００を着脱可能なカートリッジホルダ部と、アンテナ１４と、ＩＣ回路部１５１の無線タグ情報にアクセスするアクセス情報を生成する信号処理回路２２と、この生成したアクセス情報を、アンテナ１４を介して非接触でアンテナ１５２に送信し、ＩＣ回路部１５１の無線タグ情報へのアクセスを行う送信部３２と、カートリッジホルダ部に取り付けたカートリッジ１００に備えられた無線タグ回路素子Ｔoのタグ属性パラメータ又は通信パラメータに合致するように、送信部３２からの送信態様を制御する制御回路３０とを有する。【選択図】  図２
2005260521.tif 000002
【特許請求の範囲】
【請求項１】
筐体と、
この筐体に設けられ、所定の情報を記憶するＩＣ回路部及びこのＩＣ回路部に接続され情報の送受信を行うタグ側アンテナを有する複数の無線タグ回路素子を備えたカートリッジを着脱可能なカートリッジホルダ部と、
前記複数の無線タグ回路素子のうち、特定の無線タグ回路素子の前記タグ側アンテナとの間で、無線通信により送受信を行う装置側アンテナと、
前記ＩＣ回路部の無線タグ情報にアクセスするアクセス情報を生成するアクセス情報生成手段と、
このアクセス情報生成手段で生成した前記アクセス情報を、前記装置側アンテナを介して非接触で前記タグ側アンテナに送信し、前記ＩＣ回路部の前記無線タグ情報へのアクセスを行う情報送信手段と、
前記カートリッジに備えられた前記無線タグ回路素子のタグ属性パラメータ又は通信パラメータに合致するように、前記情報送信手段からの送信態様を制御する送信制御手段とを有することを特徴とする無線タグ情報通信装置。
【請求項２】
請求項１記載の無線タグ情報通信装置において、
対応する前記無線タグ回路素子の前記タグ属性パラメータ及び前記通信パラメータに対応して前記カートリッジに形成された第１パラメータ情報を検出する第１情報検出手段を有し、
前記送信制御手段は、この第１情報検出手段で検出した前記第１パラメータ情報に基づき、前記情報送信手段からの送信態様を制御することを特徴とする無線タグ情報通信装置。
【請求項３】
請求項１記載の無線タグ情報通信装置において、
前記情報送信手段による前記アクセス情報の送信後、この送信されたアクセス情報に応じて前記ＩＣ回路部より送信された返答信号を、前記タグ側アンテナを介し非接触で前記装置側アンテナで受信し、読み込みを行う情報受信手段と、
前記情報受信手段で読み込んだ返答信号に基づき、対応する前記無線タグ回路素子の前記タグ属性パラメータに係わる第２パラメータ情報を検出する第２情報検出手段とを有し、
前記送信制御手段は、前記第２情報検出手段で検出した前記第２パラメータ情報に基づき、前記情報送信手段からの送信態様を制御することを特徴とする無線タグ情報通信装置。
【請求項４】
請求項１記載の無線タグ情報通信装置において、
対応する前記無線タグ回路素子の前記通信パラメータに対応して前記カートリッジに形成された第３パラメータ情報を検出する第３情報検出手段と、
この第３情報検出手段で検出した前記第３パラメータ情報に基づき、前記無線タグ回路素子の前記タグ属性パラメータを確認するための確認指令信号を、前記装置側アンテナを介して非接触で前記タグ側アンテナに送信する確認指令送信手段とを有し、
前記確認指令信号に応じて前記ＩＣ回路部より読み出された前記タグ属性パラメータに関する第４パラメータ情報を、前記タグ側アンテナを介し非接触で前記装置側アンテナで受信し、読み込みを行う確認情報受信手段とを有し、
前記送信制御手段は、前記確認情報受信手段で読み込んだ前記第４パラメータ情報と、前記第３情報検出手段で検出した前記第３パラメータ情報とに基づき、前記情報送信手段からの送信態様を制御することを特徴とする無線タグ情報通信装置。
【請求項５】
請求項２又は４記載の無線タグ情報通信装置において、
第１又は第３情報検出手段は、前記カートリッジに形成された識別子を光学的又は電気的に識別する手段であることを特徴とする無線タグ情報通信装置。
【請求項６】
請求項２記載の無線タグ情報通信装置において、
前記検出された第１パラメータ情報を記憶する記憶手段を有することを特徴とする無線タグ情報通信装置。
【請求項７】
請求項３又は４記載の無線タグ情報通信装置において、
前記検出された第２乃至第４パラメータ情報を記憶する記憶手段を有することを特徴とする無線タグ情報通信装置。
【請求項８】
請求項７記載の無線タグ情報通信装置において、
前記送信制御手段の制御に基づく送信態様で前記情報送信手段が前記アクセスを実行後、前記ＩＣ回路部へのアクセスが成功したか否かの判定を行う判定手段と、
この判定手段でアクセス失敗と判定された場合には、前記無線タグ回路素子の前記タグ属性パラメータ又は前記通信パラメータを再確認するための再確認指令信号を、前記装置側アンテナを介して非接触で前記タグ側アンテナに送信する再確認指令送信手段と、
前記再確認指令信号に応じて前記ＩＣ回路部より読み出された前記タグ属性パラメータ又は前記通信パラメータに関する第５パラメータ情報を、前記タグ側アンテナを介し非接触で前記装置側アンテナで受信し、読み込みを行う情報再受信手段と、
前記記憶手段内のパラメータ情報を、前記第５パラメータに更新する更新制御手段とを有することを特徴とする無線タグ情報通信装置。
【請求項９】
請求項７又は８記載の無線タグ情報通信装置において、
前記カートリッジ交換時又は電源投入時に、前記無線タグ回路素子の前記タグ属性パラメータ又は前記通信パラメータを初期確認するための初期確認指令信号を、前記装置側アンテナを介して非接触で前記タグ側アンテナに送信する初期確認指令送信手段と、
前記初期確認指令信号に応じて前記ＩＣ回路部より読み出された前記タグ属性パラメータ又は前記通信パラメータに関する第６パラメータ情報を、前記タグ側アンテナを介し非接触で前記装置側アンテナで受信し、読み込みを行う初期情報受信手段とを有し、
前記更新制御手段は、前記記憶手段内に記憶されたパラメータ情報を、前記第６パラメータに更新することを特徴とする無線タグ情報通信装置。
【請求項１０】
請求項８又は９記載の無線タグ情報通信装置において、
前記再確認指令送信手段又は前記初期確認指令送信手段は、前記記憶手段に記憶されている前記パラメータ情報に基づく前記通信パラメータに基づいて前記再確認指令信号及び前記初期確認指令信号を生成し送信することを特徴とする無線タグ情報通信装置。
【請求項１１】
請求項１０記載の無線タグ情報通信装置において、
前記再確認指令信号又は前記初期確認指令信号に応じて前記ＩＣ回路部より有効な信号が読み出されなかった場合は、前記再確認指令送信手段又は前記初期確認指令送信手段は、前記記憶手段に記憶されていた前記通信パラメータと異なる通信パラメータに沿った前記再確認指令信号及び前記初期確認指令信号を新たに生成して送信することを特徴とする無線タグ情報通信装置。
【請求項１２】
請求項６乃至１１のいずれか１項記載の無線タグ情報通信装置において、
前記記憶手段は、不揮発性記憶手段であることを特徴とする無線タグ情報通信装置。
【請求項１３】
請求項１乃至１２のいずれか１項記載の無線タグ情報通信装置において、
前記タグ属性パラメータは、対応する前記無線タグ回路素子の前記タグ側アンテナの感度、前記ＩＣ回路部のメモリ容量、無線タグ回路素子を貼り付けるテープの幅、テープ上の無線タグ回路素子配置間隔のうち少なくとも１つを含むことを特徴とする無線タグ情報通信装置。
【請求項１４】
請求項１乃至１２のいずれか１項記載の無線タグ情報通信装置において、
前記通信パラメータは、前記無線通信に使用する電波の周波数及び通信プロトコルのうち少なくとも１つを含むことを特徴とする無線タグ情報通信装置。
【発明の詳細な説明】
【技術分野】
【０００１】
本発明は、外部と情報の無線通信が可能な無線タグに対し情報の読み取り又は書き込みを行う無線タグ情報通信装置に関する。
【背景技術】
【０００２】
小型の無線タグとリーダ（読み取り装置）／ライタ（書き込み装置）との間で非接触で情報の読み取り／書き込みを行うＲＦＩＤ（Ｒａｔｉｏ Ｆｒｅｑｕｅｎｃｙ Ｉｄｅｎｔｉｆｉｃａｔｉｏｎ）システムが知られている。
【０００３】
例えばラベル状の無線タグに備えられた無線タグ回路素子は、所定の無線タグ情報を記憶するＩＣ回路部とこのＩＣ回路部に接続されて情報の送受信を行うアンテナとを備えており、無線タグが汚れている場合や見えない位置に配置されている場合であっても、リーダ／ライタ側よりＩＣ回路部の無線タグ情報に対してアクセス（情報の読み取り／書き込み）が可能であり、商品管理や検査工程等の様々な分野において実用が期待されている。例えば非特許文献１には、この無線タグとの無線通信に関し、種々の通信プロトコルが存在することが記載されている。
【０００４】
【非特許文献１】Ａｕｔｏ−ＩＤ  Ｃｅｎｔｅｒ，  ＴＥＣＨＮＩＣＡＬ  ＲＥＰＯＲＴ“８６０ＭＨｚ−９３０ＭＨｚ  Ｃｌａｓｓ  Ｉ  Ｒａｄｉｏ  Ｆｒｅｑｕｅｎｃｙ  Ｉｄｅｎｔｉｆｉｃａｔｉｏｎ  Ｔａｇ  Ｒａｄｉｏ  Ｆｒｅｑｕｅｎｃｙ  ＆  Ｌｏｇｉｃａｌ  Ｃｏｍｍｕｎｉｃａｔｉｏｎ  Ｉｎｔｅｒｆａｃｅ  Ｓｐｅｃｉｆｉｃａｔｉｏｎ  Ｃａｎｄｉｄａｔｅ  Ｒｅｃｏｍｍｅｎｄａｔｉｏｎ，  Ｖｅｒｓｉｏｎ  １．０．１”（米国）２００２年１１月１４日，ｐ．１−１７
【発明の開示】
【発明が解決しようとする課題】
【０００５】
上述のように近年飛躍的に用途が広がり種々の分野で活用が進みつつある無線タグであるが、上記従来技術に記載のように通信プロトコルは多数種類存在するため、用途に応じて各無線タグで多種多様な通信プロトコルをそれぞれ使用しているのが現状である。
【０００６】
このため、ある無線タグと通信しようとしても、その無線タグ回路素子に適した通信プロトコルが、装置側より通信しようとしている通信プロトコルとは異なる場合があり、そのような場合には速やかにかつ容易に通信可能な状態とすることができなかった。
【０００７】
そのほか、上記通信プロトコルと同様の通信パラメータである周波数や、あるいは無線タグ回路素子のアンテナの感度、ＩＣ回路部のメモリ容量、さらには素子を貼り付けるテープの幅、テープ上の素子配置間隔といったタグ属性パラメータについても、上記同様、無線タグ回路素子の種類によってはそれらのパラメータが異なり、速やかにかつ容易に通信可能な状態とすることができない場合があった。
【０００８】
本発明の目的は、通信対象の無線タグ回路素子の種類に関係なく、速やかにかつ容易に通信可能な状態とすることができる無線タグ情報通信装置を提供することにある。
【課題を解決するための手段】
【０００９】
上記目的を達成するために、第１の発明は、筐体と、この筐体に設けられ、所定の情報を記憶するＩＣ回路部及びこのＩＣ回路部に接続され情報の送受信を行うタグ側アンテナを有する複数の無線タグ回路素子を備えたカートリッジを着脱可能なカートリッジホルダ部と、前記複数の無線タグ回路素子のうち、特定の無線タグ回路素子の前記タグ側アンテナとの間で、無線通信により送受信を行う装置側アンテナと、前記ＩＣ回路部の無線タグ情報にアクセスするアクセス情報を生成するアクセス情報生成手段と、このアクセス情報生成手段で生成した前記アクセス情報を、前記装置側アンテナを介して非接触で前記タグ側アンテナに送信し、前記ＩＣ回路部の前記無線タグ情報へのアクセスを行う情報送信手段と、前記カートリッジに備えられた前記無線タグ回路素子のタグ属性パラメータ又は通信パラメータに合致するように、前記情報送信手段からの送信態様を制御する送信制御手段とを有することを特徴とする。
【００１０】
本願第１発明においては、アクセス情報生成手段で生成されたアクセス情報は、情報送信手段によって装置側アンテナを介し無線タグ回路素子のタグ側アンテナに送信され、さらにＩＣ回路部の無線タグ情報へのアクセス（読み取り又は書き込み）が行われる。このとき、送信制御手段によって、情報送信手段からの送信態様は、カートリッジホルダ部に取り付けるカートリッジの無線タグ回路素子のタグ属性パラメータ又は通信パラメータに合致するように制御される。これにより、備えられた無線タグ回路素子のタグ属性パラメータや通信パラメータが互いに異なる複数のカートリッジをカートリッジホルダ部に適宜着脱して使用する場合であっても、速やかにかつ容易に各カートリッジの無線タグ回路素子に対応した最適なパラメータを用いて情報通信を行うことができる。
【００１１】
第２の発明は、上記第１発明において、対応する前記無線タグ回路素子の前記タグ属性パラメータ及び前記通信パラメータに対応して前記カートリッジに形成された第１パラメータ情報を検出する第１情報検出手段を有し、前記送信制御手段は、この第１情報検出手段で検出した前記第１パラメータ情報に基づき、前記情報送信手段からの送信態様を制御することを特徴とする。
【００１２】
カートリッジに形成された第１パラメータ情報が第１情報検出手段で検出され、これに基づき送信制御手段が情報送信手段からのタグ属性パラメータ又は通信パラメータを合致させるように送信態様を制御することにより、備えられた無線タグ回路素子のタグ属性パラメータや通信パラメータが互いに異なる複数のカートリッジをカートリッジホルダ部に適宜着脱して使用する場合であっても、速やかにかつ容易に各カートリッジの無線タグ回路素子に対応した最適なパラメータを用いて情報通信を行うことができる。
【００１３】
第３の発明は、上記第１発明において、前記情報送信手段による前記アクセス情報の送信後、この送信されたアクセス情報に応じて前記ＩＣ回路部より送信された返答信号を、前記タグ側アンテナを介し非接触で前記装置側アンテナで受信し、読み込みを行う情報受信手段と、前記情報受信手段で読み込んだ返答信号に基づき、対応する前記無線タグ回路素子の前記タグ属性パラメータに係わる第２パラメータ情報を検出する第２情報検出手段とを有し、前記送信制御手段は、前記第２情報検出手段で検出した前記第２パラメータ情報に基づき、前記情報送信手段からの送信態様を制御することを特徴とする。
【００１４】
情報送信手段からのアクセス情報送信後にＩＣ回路部から返答された返答信号が情報受信手段で受信され、その返答信号に基づき第２パラメータ情報が第２情報検出手段で検出され、これに基づき送信制御手段が情報送信手段からのタグ属性パラメータ又は通信パラメータを合致させるように送信態様を制御する。これにより、備えられた無線タグ回路素子のタグ属性パラメータや通信パラメータが互いに異なる複数のカートリッジをカートリッジホルダ部に適宜着脱して使用する場合であっても、速やかにかつ容易に各カートリッジの無線タグ回路素子に対応した最適なパラメータを用いて情報通信を行うことができる。
【００１５】
第４の発明は、上記第１発明において、対応する前記無線タグ回路素子の前記通信パラメータに対応して前記カートリッジに形成された第３パラメータ情報を検出する第３情報検出手段と、この第３情報検出手段で検出した前記第３パラメータ情報に基づき、前記無線タグ回路素子の前記タグ属性パラメータを確認するための確認指令信号を、前記装置側アンテナを介して非接触で前記タグ側アンテナに送信する確認指令送信手段とを有し、前記確認指令信号に応じて前記ＩＣ回路部より読み出された前記タグ属性パラメータに関する第４パラメータ情報を、前記タグ側アンテナを介し非接触で前記装置側アンテナで受信し、読み込みを行う確認情報受信手段とを有し、前記送信制御手段は、前記確認情報受信手段で読み込んだ前記第４パラメータ情報と、前記第３情報検出手段で検出した前記第３パラメータ情報とに基づき、前記情報送信手段からの送信態様を制御することを特徴とする。
【００１６】
カートリッジに形成された第３パラメータ情報が第３情報検出手段で検出され、これに基づき確認指令信号が確認指令送信手段からタグ側アンテナに送信され、その確認指令信号に応じた第４パラメータ情報がＩＣ回路部より読み出されて確認情報受信手段で受信される。そして、この第４パラメータ情報と先に検出した第３パラメータ情報とに基づき、送信制御手段が情報送信手段からのタグ属性パラメータ又は通信パラメータを合致させるように送信態様を制御する。これにより、備えられた無線タグ回路素子のタグ属性パラメータや通信パラメータが互いに異なる複数のカートリッジをカートリッジホルダ部に適宜着脱して使用する場合であっても、速やかにかつ容易に各カートリッジの無線タグ回路素子に対応した最適なパラメータを用いて情報通信を行うことができる。
【００１７】
第５の発明は、上記第２又は第４発明において、第１又は第３情報検出手段は、前記カートリッジに形成された識別子を光学的又は電気的に識別する手段であることを特徴とする。
【００１８】
カートリッジに形成された識別子を光学的又は電気的にに識別することで、カートリッジに形成された第１パラメータ情報又は第３パラメータ情報を検出することができる。
【００１９】
第６の発明は、上記第２発明において、前記検出された第１パラメータ情報を記憶する記憶手段を有することを特徴とする。
【００２０】
これにより、第１パラメータ情報を再読み出し可能に記憶手段に記憶保持させることができる。
【００２１】
第７の発明は、上記第３又は第４発明において、前記検出された第２乃至第４パラメータ情報を記憶する記憶手段を有することを特徴とする。
【００２２】
これにより、第２〜第４パラメータ情報を再読み出し可能に記憶手段に記憶保持させることができる。
【００２３】
第８の発明は、上記第７発明において、前記送信制御手段の制御に基づく送信態様で前記情報送信手段が前記アクセスを実行後、前記ＩＣ回路部へのアクセスが成功したか否かの判定を行う判定手段と、この判定手段でアクセス失敗と判定された場合には、前記無線タグ回路素子の前記タグ属性パラメータ又は前記通信パラメータを再確認するための再確認指令信号を、前記装置側アンテナを介して非接触で前記タグ側アンテナに送信する再確認指令送信手段と、前記再確認指令信号に応じて前記ＩＣ回路部より読み出された前記タグ属性パラメータ又は前記通信パラメータに関する第５パラメータ情報を、前記タグ側アンテナを介し非接触で前記装置側アンテナで受信し、読み込みを行う情報再受信手段と、前記記憶手段内のパラメータ情報を、前記第５パラメータに更新する更新制御手段とを有することを特徴とする。
【００２４】
本願第８発明においては、送信制御手段の制御に基づく送信態様で無線タグ回路素子のＩＣ回路部へのアクセスを行った後、判定手段が、そのアクセスが成功したかどうかの判定を行う。アクセス失敗と判定された場合、再確認指令送信手段が再確認指令信号を送信し、これに応じてＩＣ回路部より読み出された第５パラメータ情報が情報再受信手段で受信し読み込まれる。そして、更新制御手段が、それまでの記憶手段内の記憶内容に関係なく、その記憶情報を、上記読み込んだ第５パラメータに更新する。これにより、当初読み取ったタグ属性パラメータや通信パラメータに関するパラメータ情報が何らかの原因で誤っていた（誤読み取りであった）としても、更新時に正しい情報に修正することができる。
【００２５】
第９の発明は、上記第７又は第８発明において、前記カートリッジ交換時又は電源投入時に、前記無線タグ回路素子の前記タグ属性パラメータ又は前記通信パラメータを初期確認するための初期確認指令信号を、前記装置側アンテナを介して非接触で前記タグ側アンテナに送信する初期確認指令送信手段と、前記初期確認指令信号に応じて前記ＩＣ回路部より読み出された前記タグ属性パラメータ又は前記通信パラメータに関する第６パラメータ情報を、前記タグ側アンテナを介し非接触で前記装置側アンテナで受信し、読み込みを行う初期情報受信手段とを有し、前記更新制御手段は、前記記憶手段内に記憶されたパラメータ情報を、前記第６パラメータに更新することを特徴とする。
【００２６】
本願第９発明においては、電源投入の都度、初期確認指令送信手段が初期確認指令信号を送信し、これに応じてＩＣ回路部より読み出された第６パラメータ情報が初期情報受信手段で受信し読み込まれる。そして、書き込み手段は、記憶手段内の記憶内容に関係なく、その記憶情報を、上記読み込んだ第６パラメータに更新する。これにより、電源投入の都度又は前記カートリッジ交換時、それまでの記憶手段の記憶内容に関係なく、記憶手段内のパラメータ情報を確実に正しいものと（誤読み取りがあった場合は修正、正常に記憶されていた場合は再確認）することができる。
【００２７】
第１０の発明は、上記第８又は第９発明において、前記再確認指令送信手段又は前記初期確認指令送信手段は、前記記憶手段に記憶されている前記パラメータ情報に基づく前記通信パラメータに基づいて前記再確認指令信号及び前記初期確認指令信号を生成し送信することを特徴とする。
【００２８】
再確認指令信号又は初期確認指令信号の生成送信時に、記憶手段に記憶されている通信パラメータに沿って信号を生成することにより、過去の履歴を参照するので、少なくとも通信パラメータを固定された順序であるいはアトランダムにして生成する場合に比べ、正しい通信パラメータを取得するための所要時間を短くすることが可能となる。
【００２９】
第１１の発明は、上記第１０発明において、前記再確認指令信号又は前記初期確認指令信号に応じて前記ＩＣ回路部より有効な信号が読み出されなかった場合は、前記再確認指令送信手段又は前記初期確認指令送信手段は、前記記憶手段に記憶されていた前記通信パラメータと異なる通信パラメータに沿った前記再確認指令信号及び前記初期確認指令信号を新たに生成して送信することを特徴とする。
【００３０】
上記のように過去の経験値から出発して再確認指令信号又は初期確認指令信号の生成及び送信を行ってもＩＣ回路部より有効な返答がなく通信パラメータが誤っていた場合は、これに応じて上記と異なる通信パラメータに沿って再確認指令信号や初期確認指令信号を生成することにより、正しい通信パラメータとなるように模索を行うことができ、正しい通信パラメータに到達し、ＩＣ回路部より有効な返答を得ることができる。
【００３１】
第１２の発明は、上記第６乃至第１１発明のいずれか１つにおいて、前記記憶手段は、不揮発性記憶手段であることを特徴とする。
【００３２】
これにより、電源がオフであってもバックアップ電源を必要とすることなく、記憶内容を保持しておくことができる。
【００３３】
第１３の発明は、上記第１乃至第１２発明のいずれか１つにおいて、前記タグ属性パラメータは、対応する前記無線タグ回路素子の前記タグ側アンテナの感度、前記ＩＣ回路部のメモリ容量、無線タグ回路素子を貼り付けるテープの幅、テープ上の無線タグ回路素子配置間隔のうち少なくとも１つを含むことを特徴とする。
【００３４】
送信制御手段は、カートリッジの無線タグ回路素子のタグ側アンテナの感度、ＩＣ回路部のメモリ容量、素子を貼り付けるテープの幅、テープ上の素子配置間隔に合致するように、送信制御手段の送信態様を制御することができる。
【００３５】
第１４の発明は、上記第１乃至第１２発明のいずれか１つにおいて、前記通信パラメータは、前記無線通信に使用する電波の周波数及び通信プロトコルのうち少なくとも１つを含むことを特徴とする。
【００３６】
送信制御手段は、無線通信に使用する電波の周波数又は通信プロトコルに合致するように、送信制御手段の送信態様を制御することができる。
【発明の効果】
【００３７】
本発明によれば、情報送信手段からの送信態様は、カートリッジホルダ部に取り付けるカートリッジの無線タグ回路素子のタグ属性パラメータ又は通信パラメータに合致するように制御されるので、通信対象の無線タグ回路素子の種類に関係なく、速やかにかつ容易に通信可能な状態とすることができる。
【発明を実施するための最良の形態】
【００３８】
以下、本発明の実施の形態を図面を参照しつつ説明する。
【００３９】
本発明の第１の実施形態を図１〜図１９により説明する。この実施形態は、本発明を無線タグの生成システムに適用した場合の実施形態である。
【００４０】
図１は、本実施形態の無線タグ情報通信装置が適用される無線タグ生成システムを表すシステム構成図である。
【００４１】
図１に示すこの無線タグ生成システム１において、無線タグ情報通信装置２は、有線あるいは無線による通信回線３を介してルートサーバ４、端末５、汎用コンピュータ６、及び複数の情報サーバ７に接続されている。
【００４２】
図２は、上記無線タグ情報通信装置２の詳細構造を表す概念的構成図である。
【００４３】
図２において、無線タグ情報通信装置２の装置本体８には、凹所としてのカートリッジホルダ部（図示せず）が設けられ、このホルダ部にカートリッジ１００が着脱可能に取り付けられている。
【００４４】
装置本体８は、カートリッジ１００を嵌合させる上記カートリッジホルダ部を備えるとともに外郭を構成する筐体９と、カバーフィルム１０３（後述の図３参照）に所定の印字（印刷）を行う印字ヘッド（サーマルヘッド）１０と、カバーフィルム１０３への印字が終了したインクリボンを駆動するリボン巻取りローラ駆動軸１１と、印字済みタグラベル用テープ１１０をカートリッジ本体１００から繰り出すためのテープ送りローラ駆動軸１２と、印字済タグラベル用テープ１１０に備えられる無線タグ回路素子Ｔo（詳細は後述）との間でＵＨＦ帯等の高周波を用いて無線通信により信号の授受を行うアンテナ１４と、上記印字済タグラベル用テープ１１０を所定のタイミングで所定の長さに切断しラベル状の無線タグラベルＴを生成するカッタ１５と、上記無線通信による信号授受時において無線タグ回路素子Ｔoをアンテナ１４に対向する所定のアクセスエリアに設定保持するとともに切断後の各無線タグラベルＴを案内するための一対の上記搬送ガイド１３と、その案内された無線タグラベルＴを搬出口（排出口）１６へと搬送し送出する送出ローラ１７と、搬出口１６における無線タグラベルＴの有無を検出するセンサ１８とを有している。
【００４５】
一方、装置本体８はまた、上記アンテナ１４を介し上記無線タグ回路素子Ｔoへアクセスする（読み取り又は書き込みを行う）ための高周波回路２１と、無線タグ回路素子Ｔoから読み出された信号を処理するための信号処理回路２２と、前述したリボン巻取りローラ駆動軸１１及びテープ送りローラ駆動軸１２を駆動するカートリッジ用モータ２３と、このカートリッジ用モータ２３の駆動を制御するカートリッジ駆動回路２４と、上記印字ヘッド１０への通電を制御する印刷駆動回路２５と、上記カッタ１５を駆動して切断動作を行わせるソレノイド２６と、そのソレノイド２６を制御するソレノイド駆動回路２７と、上記送出ローラ１７を駆動する送出ローラ用モータ２８と、この送出ローラ用モータ２８を制御する送出ローラ駆動回路２９と、筐体９に設けた蓋（図示せず）の開閉状態を検出する蓋開閉検出センサ１９と、カートリッジ１００に設けた被検出部１９０（詳細は後述）に備えられたパラメータ情報（第１パラメータ情報；詳細は後述）を検出するセンサ２０（第１情報検出手段）と、上記高周波回路２１、信号処理回路２２、カートリッジ駆動回路２４、印刷駆動回路２５、ソレノイド駆動回路２７、送出ローラ駆動回路２９等を介し、無線タグ情報通信装置２全体の動作を制御するための制御回路３０とを有する。
【００４６】
制御回路３０は、いわゆるマイクロコンピュータであり、詳細な図示を省略するが、中央演算処理装置であるＣＰＵ、ＲＯＭ、及びＲＡＭ等から構成され、ＲＡＭの一時記憶機能を利用しつつＲＯＭに予め記憶されたプログラムに従って信号処理を行うようになっている。またこの制御回路３０は、通信回路３１を介し例えば通信回線３に接続され、この通信回線３に接続された前述のルートサーバ４、他の端末５、汎用コンピュータ６、及び情報サーバ７等との間で情報のやりとりが可能となっている。
【００４７】
図３は、上記無線タグ情報通信装置２に備えられた本実施形態によるカートリッジ１００の詳細構造を表す側面図である。
【００４８】
この図３において、カートリッジ１００は、帯状の基材テープ（タグテープ）１０１が巻回された第１ロール１０２と、上記基材テープ１０１と略同じ幅である透明な上記カバーフィルム１０３が巻回された第２ロール１０４と、インクリボン１０５を繰り出すリボン供給側ロール１１１と、印字後のインクリボン１０５を巻取るリボン巻取りローラ１０６と、上記基材テープ１０１と上記カバーフィルム１０３とを押圧し接着させ印字済タグラベル用テープ１１０としつつ矢印Ａで示す方向にテープ送りをするテープ送りローラ１０７とを有している。
【００４９】
第１ロール１０２は、リール部材１０２ａの周りに、長手方向に複数の無線タグ回路素子Ｔoが例えば等間隔で順次形成された上記基材テープ１０１を巻回しており、第２ロール１０４は、リール部材１０４ａの周りに上記カバーフィルム１０３を巻回している。
【００５０】
リボン巻取りローラ１０６及びテープ送りローラ１０７は、それぞれカートリッジ１００外に設けた例えばパルスモータであるカートリッジ用モータ２３（前述の図２参照）の駆動力が上記リボン巻取りローラ駆動軸１１及び上記テープ送りローラ駆動軸１２に伝達されることによって回転駆動される。
【００５１】
第１ロール１０２に巻回される基材テープ１０１はこの例では４層構造となっており（図３中部分拡大図参照）、内側に巻かれる側（図３中右側）よりその反対側（図３中左側）へ向かって、適宜の粘着材からなる粘着層１０１ａ、ＰＥＴ（ポリエチレンテレフタラート）等から成る色付きのベースフィルム１０１ｂ、適宜の粘着材からなる粘着層１０１ｃ、剥離紙１０１ｄの順序で積層され構成されている。
【００５２】
ベースフィルム１０１ｂの裏側（図３中左側）には、情報の送受信を行うアンテナ（アンテナ部）１５２が一体的に設けられており、これに接続するように情報を記憶するＩＣ回路部１５１が形成され、これらによって無線タグ回路素子Ｔoが構成されている（詳細構造は後述）。
【００５３】
ベースフィルム１０１ｂの表側（図３中右側）には、後にカバーフィルム１０３を接着するための上記粘着層１０１ａが形成され、またベースフィルム１０１ｂの裏側（図３中左側）には、無線タグ回路素子Ｔoを内包するように設けた上記粘着層１０１ｃによって上記剥離紙１０１ｄがベースフィルム１０１ｂに接着されている。なお、この剥離紙１０１ｄは、最終的にラベル状に完成した無線タグラベルＴが所定の商品等に貼り付けられる際に、これを剥がすことで粘着層１０１ｃにより当該商品等に接着できるようにしたものである。
【００５４】
第２ロール１０４より繰り出されるカバーフィルム１０３は、その裏面側（すなわち上記基材テープ１０１と接着される側）に配置されたリボン供給側ロール１１１及びリボン巻取りローラ１０６で駆動されるリボン１０５が、上記印字ヘッド１０に押圧されることで当該カバーフィルム１０３の裏面に当接させられるようになっている。
【００５５】
上記構成において、カートリッジ１００が上記装置本体８に装着され、プラテンローラ１０８及びサブローラ１０９を有するローラホルダ（図示せず）が離反位置から当接位置に移動されると、カバーフィルム１０３及びインクリボン１０５が印字ヘッド１０とプラテンローラ１０８との間に狭持されるとともに、基材テープ１０１及びカバーフィルム１０３がテープ送りローラ１０７とサブローラ１０９との間に狭持される。そして、カートリッジ用モータ２３の駆動力によってリボン巻取りローラ１０６及びテープ送りローラ１０７が矢印Ｂで示す方向にそれぞれ同期して回転駆動される。このとき、前述のテープ送りローラ駆動軸１２とサブローラ１０９及びプラテンローラ１０８はギヤ（図示せず）にて連結されており、テープ送りローラ駆動軸１２の駆動に伴いテープ送りローラ１０７、サブローラ１０９、及びプラテンローラ１０８が回転し、第１ロール１０２から４層構造の基材テープ１０１が繰り出される。一方、第２ロール１０４からはカバーフィルム１０３が繰り出されるとともに、上記印刷駆動回路２５により印字ヘッド１０の複数の発熱素子が通電される。この結果、カバーフィルム１０３の裏面（＝粘着層１０１ａ側の面）に所定の文字、記号、バーコード等の印字Ｒ（後述の図１２（ａ）参照）が印刷（但し裏面から印刷するので印刷側から見て鏡面対称の文字等を印刷している）される。そして、上記４層構造の基材テープ１０１と上記印刷が終了したカバーフィルム１０３とが上記テープ送りローラ１０７及びサブローラ１０９により接着されて一体化され、印字済タグラベル用テープ１１０として形成され、カートリッジ１００外へと搬出される。なお、カバーフィルム１０３への印字が終了したインクリボン１０５は、リボン巻取りローラ駆動軸１１の駆動によりリボン巻取りローラ１０６に巻取られる。
【００５６】
図４は、上記高周波回路２１の詳細機能を表す機能ブロック図である。この図４において、高周波回路２１は、アンテナ１４を介し無線タグ回路素子Ｔoに対して信号を送信する送信部３２と、アンテナ１４により受信された無線タグ回路素子Ｔoからの反射波を入力する受信部３３と、送受分離器３４とから構成される。
【００５７】
送信部３２は、無線タグ回路素子ＴoのＩＣ回路部１５１の無線タグ情報にアクセスする(読み取り又は書き込みを行う)ための搬送波を発生させる水晶振動子３５、ＰＬＬ（Phase Locked Loop）３６、及びＶＣＯ（Voltage Controlled  Oscillator）３７と、上記信号処理回路２２から供給される信号に基づいて上記発生させられた搬送波を変調（この例では信号処理回路２２からの「ＴＸ＿ＡＳＫ」信号に基づく振幅変調）する送信乗算回路３８（但し振幅変調の場合は増幅率可変アンプ等を用いてもよい）と、その送信乗算回路３８により変調された変調波を、制御回路３０からの「ＴＸ＿ＰＷＲ」信号によって増幅率を決定し増幅する可変送信アンプ３９とを備えている。そして、上記発生される搬送波は、好適にはＵＨＦ帯の周波数を用いており、上記送信アンプ３９の出力は、送受分離器３４を介してアンテナ１４に伝達されて無線タグ回路素子ＴoのＩＣ回路部１５１に供給される。
【００５８】
受信部３３は、アンテナ１４により受信された無線タグ回路素子Ｔoからの反射波と上記発生させられた搬送波とを掛け合わせる受信第１乗算回路４０と、その受信第１乗算回路４０の出力から必要な帯域の信号のみを取り出すための第１バンドパスフィルタ４１と、この第１バンドパスフィルタ４１の出力を増幅して第１リミッタ４２に供給する受信第１アンプ４３と、上記アンテナ１４により受信された無線タグ回路素子Ｔoからの反射波と上記発生された後に位相が９０°ずらされた搬送波とを掛け合わせる受信第２乗算回路４４と、その受信第２乗算回路４４の出力から必要な帯域の信号のみを取り出すための第２バンドパスフィルタ４５と、この第２バンドパスフィルタ４５の出力を入力するとともに増幅して第２リミッタ４６に供給する受信第２アンプ４７とを備えている。そして、上記第１リミッタ４２から出力される信号「ＲＸＳ−Ｉ」及び第２リミッタ４６から出力される信号「ＲＸＳ−Ｑ」は、上記信号処理回路２２に入力されて処理される。
【００５９】
また、受信第１アンプ４３及び受信第２アンプ４７の出力は、ＲＳＳＩ（Received  Signal  Strength  Indicator)回路４８にも入力され、それらの信号の強度を示す信号「ＲＳＳＩ」が信号処理回路２２に入力されるようになっている。このようにして、本実施形態の無線タグ情報通信装置２では、Ｉ−Ｑ直交復調によって無線タグ回路素子Ｔoからの反射波の復調が行われる。
【００６０】
図５は、センサ２０の詳細構造・機能を表す概念的構成図であり、図６は、センサ２０と被検出部１９０との位置関係を模式的に表す図である。
【００６１】
これら図５及び図６において、被検出部１９０は、この例では４つの識別子１９０Ａ〜Ｄを備えている。センサ２０は、この例は光の反射を利用するものであり、制御回路３０からの信号により発光する発光ダイオード２０Ａと、その発光の各識別子１９０Ａ〜Ｄにおける反射光を受光し対応する検出信号を制御回路３０に出力するフォトトランジスタ２０Ｂとをそれぞれの識別子に対応して有している。
【００６２】
識別子１９０Ａ〜Ｄは、白色で示すものは反射があったもの、黒色で示すものは反射がなかったものを表している。識別子１９０Ａ〜Ｄは、それぞれの反射の有無によって、カートリッジ１００内の上記無線タグ回路素子Ｔoに最適な通信パラメータ（無線通信に使用する電波の周波数、通信プロトコル等）やタグ属性パラメータ（無線タグ回路素子Ｔoのアンテナ１５２の感度、ＩＣ回路部１５１のメモリ容量、素子Ｔoを貼り付けるテープ１０１の幅、テープ１０１上の素子Ｔoの配置間隔等）に関するパラメータ情報を表している。なお、通常、１つのカートリッジ内に備えられるすべての無線タグ回路素子Ｔoについて、上記通信パラメータ及びタグ属性パラメータはすべて同一（共通）となっている。
【００６３】
図７において、この例では、識別子１９０Ａ〜Ｄのうち、識別子１９０Ｂ及び識別子１９０Ｃに通信パラメータに関する情報が対応づけられている。
【００６４】
識別子１９０Ｂは通信周波数（アクセス周波数）を表しており、予め９５０ＭＨｚと２．４ＧＨｚとが用意されているうち、図示のカートリッジ１００では、その内包する基材テープ１０１の無線タグ回路素子Ｔoの通信周波数は９５０ＭＨｚとなっている。同様に識別子１９０Ｃは通信プロトコルのタイプを表しており、予め定められたタイプＡとタイプＢとのうち、図示のカートリッジ１００では、その内包する基材テープ１０１の無線タグ回路素子Ｔoの通信プロトコルはタイプＡとなっている。
【００６５】
識別子１９０Ｂ及び識別子１９０Ｃに通信パラメータに関する情報が対応づけられている。
【００６６】
一方識別子１９０Ａは基材テープ１０１における無線タグ回路素子Ｔoの有無を表しており、図示のカートリッジ１００では、その内包する基材テープ１０１に無線タグ回路素子Ｔoが備えられている。同様に識別子１９０Ｄは無線タグ回路素子Ｔoのアンテナ１５２の感度を表しており、図８で示したような高感度タイプ（図８（ａ）参照）と低感度タイプ（図８（ｂ）参照）とのうち、図示のカートリッジ１００では、その内包する基材テープ１０１の無線タグ回路素子Ｔoは低感度タイプとなっている。
【００６７】
なお、センサ２０の制御回路３０への信号線の接続に関しては、例えば公知のいわゆるマトリックス駆動方式とする（詳細構造の図示は省略）ことにより、制御回路３０側における信号線接続用のポート数を大幅に低減することができるとともに、さらに発光ダイオード２０Ａの発光に必要な電力を節電してコスト低減を図ることもできる。
【００６８】
また、センサ２０は上記の光学式には限られず、図９に示すように、他の方式、例えば凹凸形状を備えた被検出部１９０′の識別子１９０Ａ′〜Ｄ′に対しバネ部材２０Ａで接点２０Ｂを付勢当接させることで凹凸形状を検出するメカニカルスイッチを用いてもよい。
【００６９】
図１０は、アンテナ１４の詳細機能を表す概念的構成図である。
【００７０】
上述のように、本実施形態の無線タグ通信装置２は、複数の通信パラメータに対応するという特質上、特にアンテナ１４は複数のアクセス周波数に対応できるようになっている。例えばアンテナ１４は、バイコニカルアンテナ、ログペリアンテナといった広帯域アンテナや、複数周波数に対応したマルチバンドアンテナが用いられる。
【００７１】
図１０はアンテナ１４を９１５ＭＨｚ及び２．４ＧＨｚの２つの周波数に対応可能なマルチバンドアンテナとして構成した場合の一例を示しており、第１エレメント１４Ａと、第２エレメント１４Ｂと、トラップ１４Ｃと、給電点１４Ｄとを備えている。
【００７２】
第１エレメント１４Ａは、２．４ＧＨｚに対応した長さとなっており、トラップ１４Ｃも２．４ＧＨｚに同調している。そして、第１エレメント１４Ａと第２エレメント１４Ｂとの長さの和は９１５ＭＨｚに対応した長さとなっている。
【００７３】
このような構成とすることにより、アンテナ１４は、２．４ＧＨｚで励振した場合は、トラップ１４Ｃのインピーダンスが十分大きいことから第１エレメント１４Ａによる２．４ＧＨｚのアンテナとして動作する一方、９１５ＭＨｚで励振した場合は、トラップ１４Ｃのインピーダンスが十分小さいので、第１エレメント１４Ａと第２エレメント１４Ｂとによる９１５ＭＨｚのアンテナとして動作する。
【００７４】
図１１は、上記無線タグ回路素子Ｔoの機能的構成を表す機能ブロック図である。この図１１において、無線タグ回路素子Ｔoは、無線タグ情報通信装置２側のアンテナ１４とＵＨＦ帯等の高周波を用いて非接触で信号の送受信を行う上記アンテナ１５２と、このアンテナ１５２に接続された上記ＩＣ回路部１５１とを有している。
【００７５】
ＩＣ回路部１５１は、アンテナ１５２により受信された搬送波を整流する整流部１５３と、この整流部１５３により整流された搬送波のエネルギを蓄積し駆動電源とするための電源部１５４と、上記アンテナ１５２により受信された搬送波からクロック信号を抽出して制御部１５５（後述）に供給するクロック抽出部１５６と、所定の情報信号を記憶し得る情報記憶手段として機能するメモリ部１５７と、上記アンテナ１５２に接続された変復調部１５８と、上記整流部１５３、クロック抽出部１５６、及び変復調部１５８等を介して上記無線タグ回路素子Ｔoの作動を制御するための上記制御部１５５とを備えている。
【００７６】
変復調部１５８は、アンテナ１５２により受信された上記無線タグ情報通信装置２のアンテナ１４からの通信信号の復調を行うと共に、上記制御部１５５からの応答信号に基づき、アンテナ１５２より受信された搬送波を変調反射する。
【００７７】
制御部１５５は、上記変復調部１５８により復調された受信信号を解釈し、上記メモリ部１５７において記憶された情報信号に基づいて返信信号を生成し、上記変復調部１５８により返信する制御等の基本的な制御を実行する。
【００７８】
図１２（ａ）及び図１２（ｂ）は、上述のようにして無線タグ回路素子Ｔoの情報読み取り（又は書き込み)及び印字済タグラベル用テープ１１０の切断が完了し形成された無線タグラベルＴの外観の一例を表す図であり、図１２（ａ）は上面図、図１２（ｂ）は下面図である。また図１３は、図１２中XIII−XIII′断面による横断面図である。
【００７９】
これら図１２（ａ）、図１２（ｂ）、及び図１３において、無線タグラベルＴは、図３に示した４層構造にカバーフィルム１０３が加わった５層構造となっており、カバーフィルム１０３側（図１３中上側）よりその反対側（図１３中下側）へ向かって、カバーフィルム１０３、粘着層１０１ａ、ベースフィルム１０１ｂ、粘着層１０１ｃ、剥離紙１０１ｄで５層を構成している。そして、前述のようにベースフィルム１０１ｂの裏側に設けられたアンテナ１５２を含む無線タグ回路素子Ｔoが粘着層１０１ｃ内に備えられるとともに、カバーフィルム１０３の裏面に印字Ｒ（この例では無線タグラベルＴの種類を示す「ＲＦ−ＩＤ」の文字）が印刷されている。
【００８０】
図１４は、上述したような無線タグ情報通信装置２による無線タグ回路素子ＴoのＩＣ回路部１５１の無線タグ情報へのアクセス(読み取り又は書き込み)に際して、上記した端末５又は汎用コンピュータ６に表示される画面の一例を表す図である。
【００８１】
図１４において、この例では、無線タグ回路素子Ｔoに対応して印刷された印字文字Ｒ、その無線タグ回路素子Ｔoに固有のＩＤであるアクセス（読み取り又は書き込み）ＩＤ、上記情報サーバ７に記憶された物品情報のアドレス、及び上記ルートサーバ４におけるそれらの対応情報の格納先アドレス等が前記端末５又は汎用コンピュータ６に表示可能となっている。そして、その端末５又は汎用コンピュータ６の操作により無線タグ情報通信装置２が作動されて、カバーフィルム１０３に上記印字文字Ｒが印刷されると共に、後述するようにＩＣ回路部１５１に予め記憶された物品情報等の無線タグ情報が読みとられる（又はＩＣ回路部１５１に上記書き込みＩＤ及び物品情報等の情報が書き込まれる）。
【００８２】
なお、上記においては、印刷動作に伴い搬送ガイド１３を移動中の印字済タグラベル用テープ１１０に対してアクセスエリア内に保持してアクセス（読み取り又は書き込み）するようにした例を示したが、これに限られず、その印字済タグラベル用テープ１１０を所定位置で停止させて搬送ガイド１３にて保持した状態で上記アクセスを行うようにしてもよい。
【００８３】
また、上記のような読み取り又は書き込みの際、生成された無線タグラベルＴのＩＤとその無線タグラベルＴのＩＣ回路部１５１から読みとられた情報（又はＩＣ回路部１５１に書き込まれた情報）との対応関係は、前述のルートサーバ４に記憶され、必要に応じて参照できるようになっている。
【００８４】
図１５は、本実施形態の要部である、制御回路３０によって実行される制御手順を表すフローチャートである。
【００８５】
図１５において、前述した端末５又は汎用コンピュータ６によりカートリッジ１００の種別判定（言いかえれば無線タグ回路素子Ｔoの種別判定）操作が行われるとこのフローが開始される。
【００８６】
まず、ステップＳ１で、上述したように各カートリッジ１００ごとに統一されている無線タグ回路素子Ｔoの通信・タグ属性パラメータを検出・判定する（タグ種別判定手順）。
【００８７】
ステップＳ１が終了し、上記端末５又は汎用コンピュータ６により上記無線タグ情報通信装置２によるアクセス操作が行われるとこのフローが開始される。ステップＳ２に移り、その判定したパラメータに基づき、当該カートリッジ１００の各無線タグ回路素子Ｔoの無線タグ情報にアクセス（読み取り又は書き込み）を行う（タグ情報アクセス手順）。
【００８８】
図１６は、図１５に示すステップＳ１の詳細手順を表すフローチャートである。
【００８９】
図１６において、まずステップＳ１１において、前述のパラメータ検出用のセンサ２０により検出したカートリッジ１００の被検出部１９０の検出信号を入力（識別）する。
【００９０】
その後、ステップＳ１２において、上記ステップＳ１１で検出した検出信号に基づき、所定の処理（必要に応じ演算、分析、抽出等を含む）を行うことにより、識別子１９０Ａ〜Ｄに表されたパラメータ情報のうち、ステップＳ１２で上記通信パラメータ（無線通信に使用する電波の周波数、通信プロトコル等）を取得した後、ステップＳ１３でその通信パラメータ情報をＲＡＭ内に（若しくは、通信回路３１及び通信回線３を介し上記端末５又は汎用コンピュータ６さらにはルートサーバ４又は情報サーバ７内に）記憶させる。またステップＳ１４で上記タグ属性パラメータ（無線タグ回路素子Ｔoのアンテナ１５２の感度、ＩＣ回路部１５１のメモリ容量、素子Ｔoを貼り付けるテープ１０１の幅、テープ１０１上の素子Ｔoの配置間隔等）を取得し、ステップＳ１５でそのタグ属性パラメータ情報を上記同様ＲＡＭ内に（若しくは、通信回路３１及び通信回線３を介し上記端末５又は汎用コンピュータ６さらにはルートサーバ４又は情報サーバ７内に）記憶させる。
【００９１】
図１７は、図１５に示した上記ステップＳ２のタグ情報アクセスの一例である、無線タグ回路素子ＴoのＩＣ回路部１５１からの無線タグ情報読み取り手順を表すフローチャートである。
【００９２】
この図１７において、前述したように無線タグ情報通信装置２の読み取り操作が行われるとこのフローが開始される。
【００９３】
まず、ステップＳ１００において、印字済みタグラベル用テープ１１０の印刷後、情報読み取り対象とする無線タグ回路素子Ｔoがアンテナ１４近傍に搬送され、対象となるタグが設定される。
【００９４】
その後、ステップＳ１１０において、通信不良等が疑われるときのリトライ（再試行）の回数をカウントする変数Ｎを０に初期化する。
【００９５】
そして、ステップＳ１２０において、先のステップＳ１で取得した通信パラメータ及びタグ属性パラメータに沿う形で（合致するように）、すなわち例えば、カートリッジ１００の識別子１９０Ａ〜Ｄより読みとった通信プロトコル及びアクセス周波数等を用いるとともにアンテナ感度やメモリ容量に対応した出力等で無線タグ回路素子Ｔoに記憶された情報を読み出す「Scroll All ID」コマンドを信号処理回路５２に出力する。これに基づき信号処理回路２２でアクセス情報としての「Scroll All ID」信号が生成されて高周波回路２１を介してアクセス対象の無線タグ回路素子Ｔoに送信され、返信を促す。
【００９６】
次に、ステップＳ１３０において、上記「Scroll All ID」信号に対応してアクセス対象の無線タグ回路素子Ｔoから送信されたリプライ信号（物品情報等の無線タグ情報）をアンテナ１４を介して受信し、高周波回路２１及び信号処理回路２２を介し取り込む。
【００９７】
次に、ステップＳ１４０において、上記ステップＳ１３０で受信したリプライ信号に誤りがないか否かを公知のＣＲＣ符号（Cyclic Redundancy Check）を用いて判定する。
【００９８】
判定が満たされない場合はステップＳ１５０に移ってＮに１を加え、さらにステップＳ１６０においてＮ＝５かどうかが判定される。Ｎ≦４の場合は判定が満たされずステップＳ１２０に戻り同様の手順を繰り返す。Ｎ＝５の場合はステップＳ１７０に移り、エラー表示信号を通信回路３１及び通信回線３を介し上記端末５又は汎用コンピュータ６へ出力し、対応する読み取り失敗（エラー）表示を行わせ、ステップＳ１８０へ移る（後述）。このようにして読み取りが不調でも５回までは再試行が行われる。
【００９９】
ステップＳ１４０の判定が満たされた場合、読み取り対象とする無線タグ回路素子Ｔoからの無線タグ情報の読み取りが完了し、ステップＳ１８０へ移る。
【０１００】
ステップＳ１８０では、カートリッジ１００内のすべての無線タグ回路素子Ｔoについて上記無線タグ情報の読み取りが終了したかどうかを判定する。まだ読み取りが終了していない無線タグ回路素子Ｔoがある場合は、判定が満たされず、ステップＳ１００に戻って次の無線タグ回路素子Ｔoについて同様の手順を繰り返す。カートリッジ１００内のすべての無線タグ回路素子Ｔoについて上記無線タグ情報の読み取りが終了したら、判定が満たされ、このルーチンを終了する。
【０１０１】
以上のルーチンにより、カートリッジ１００内のすべてのアクセス対象の無線タグ回路素子Ｔoに対し、これに対応した最適な通信パラメータ及びタグ属性パラメータに沿った態様でＩＣ回路部１５１の無線タグ情報にアクセスし、これを読み出すことができる。
【０１０２】
図１８は、図１５に示した上記ステップＳ２のタグ情報アクセスの他の例である、無線タグ回路素子ＴoのＩＣ回路部１５１への無線タグ情報書き込み手順を表すフローチャートである。
【０１０３】
この図１８において、前述したように無線タグ情報通信装置２の書き込み操作が行われるとこのフローが開始される。
【０１０４】
まず、ステップＳ２００において、公知の適宜の手法で識別番号ＩＤを設定し、さらに情報書き込み対象とする無線タグ回路素子Ｔoがアンテナ１４近傍に搬送される。
【０１０５】
その後、ステップＳ２１０において、通信不良等が疑われるときのリトライ（再試行）の回数をカウントする変数Ｎ，Ｍをそれぞれ０に初期化する。
【０１０６】
そして、ステップＳ２２０において、無線タグ回路素子Ｔoのメモリ部１５７に記憶された情報を初期化する「Erase」コマンドを信号処理回路２２に出力する。これに基づき信号処理回路２２でアクセス情報としての「Erase」信号が生成されて高周波回路２１を介して書き込み対象の無線タグ回路素子Ｔoに送信され、そのメモリ部１５７を初期化する。
【０１０７】
次に、ステップＳ２３０において、メモリ部１５７の内容を確認する「Verify」コマンドを信号処理回路２２に出力する。これに基づき信号処理回路２２でアクセス情報としての「Verify」信号が生成されて高周波回路２１を介して情報書き込み対象の無線タグ回路素子Ｔoに送信され、返信を促す。その後ステップＳ２４０において、上記「Verify」信号に対応して書き込み対象の無線タグ回路素子Ｔoから送信されたリプライ信号をアンテナ１４を介して受信し、高周波回路２１及び信号処理回路２２を介し取り込む。
【０１０８】
次に、ステップＳ２５０において、リプライ信号に基づき、当該無線タグ回路素子Ｔoのメモリ部１５７内の情報を確認し、メモリ部１５７が正常に初期化されたか否かを判定する。
【０１０９】
判定が満たされない場合はステップＳ２６０に移ってＭに１を加え、さらにステップＳ２７０においてＭ＝５かどうかが判定される。Ｍ≦４の場合は判定が満たされずステップＳ２２０に戻り同様の手順を繰り返す。Ｍ＝５の場合はステップＳ２８０に移り、エラー表示信号を通信回路３１及び通信回線３を介し上記端末５又は汎用コンピュータ６へ出力し、対応する書き込み失敗（エラー）表示を行わせ、ステップＳ３６０に移る（後述）。このようにして初期化が不調でも５回までは再試行が行われる。
【０１１０】
ステップＳ２５０の判定が満たされた場合、ステップＳ２９０に移り、所望のデータをメモリ部１５７に書き込む「Program」コマンドを信号処理回路２２に出力する。これに基づき信号処理回路２２で本来書き込みたいＩＤ情報を含むアクセス情報としての「Program」信号が生成されて高周波回路２１を介して情報書き込み対象の無線タグ回路素子Ｔoに送信され、そのメモリ部１５７に上記所定の情報が書き込まれる。
【０１１１】
その後、ステップＳ３００において、「Verify」コマンドを信号処理回路２２に出力する。これに基づき信号処理回路２２でアクセス情報としての「Verify」信号が生成されて高周波回路２１を介して情報書き込み対象の無線タグ回路素子Ｔoに送信され、返信を促す。その後ステップＳ３１０において、上記「Verify」信号に対応して書き込み対象の無線タグ回路素子Ｔoから送信されたリプライ信号をアンテナ１４を介して受信し、高周波回路２１及び信号処理回路２２を介し取り込む。
【０１１２】
次に、ステップＳ３２０において、リプライ信号に基づき、当該無線タグ回路素子Ｔoのメモリ部１５７内に記憶された情報を確認し、前述の送信した所定の情報がメモリ部１５７に正常に記憶されたか否かを判定する。
【０１１３】
判定が満たされない場合はステップＳ３３０に移ってＮに１を加え、さらにステップＳ３４０においてＮ＝５かどうかが判定される。Ｎ≦４の場合は判定が満たされずステップＳ２９０に戻り同様の手順を繰り返す。Ｎ＝５の場合は前述したステップＳ２８０に移り、同様に上記端末５又は汎用コンピュータ６に対応する書き込み失敗（エラー）表示を行わせ、ステップＳ３６０に移る。このようにして情報書き込みが不調でも５回までは再試行が行われる。
【０１１４】
ステップＳ３２０の判定が満たされた場合、ステップＳ３５０に移り、「Lock」コマンドを信号処理回路２２に出力する。これに基づき信号処理回路２２で「Lock」信号が生成されて高周波回路２１を介して情報書き込み対象の無線タグ回路素子Ｔoに送信され、当該無線タグ回路素子Ｔoへの新たな情報の書き込みが禁止される。これにより、書き込み対象とする無線タグ回路素子Ｔoへの無線タグ情報の書き込みが完了し、前述のようにして無線タグ回路素子Ｔoが排出される。このステップＳ３５０が終了したら、ステップＳ３６０へ移る。
【０１１５】
ステップＳ３６０では、カートリッジ１００内のすべての無線タグ回路素子Ｔoについて上記無線タグ情報の書き込みが終了したかどうかを判定する。まだ書き込みが終了していない無線タグ回路素子Ｔoがある場合は、判定が満たされず、ステップＳ２００に戻って次の無線タグ回路素子Ｔoについて同様の手順を繰り返す。カートリッジ１００内のすべての無線タグ回路素子Ｔoについて上記無線タグ情報の書き込みが終了したら、判定が満たされ、このルーチンを終了する。
【０１１６】
以上のルーチンにより、カートリッジ１００内のすべてのアクセス対象の無線タグ回路素子Ｔoに対し、これに対応した最適な通信パラメータ及びタグ属性パラメータに沿った態様でＩＣ回路部１５１に所望のの無線タグ情報を書き込みことができる。
【０１１７】
なお、上記動作フローにおいては、印刷動作に伴い搬送ガイド１３を移動中の印字済タグラベル用テープ１１０に対してアクセスエリア内に保持してアクセス（読み取り又は書き込み）するようにした例を示したが、これに限られない。すなわち、その印字済タグラベル用テープ１１０を所定位置で停止させて搬送ガイド１３にて保持した状態で上記アクセスを行うようにしてもよい。また、上記のような読み取り又は書き込みの際、生成された無線タグラベルＴの印字情報とその無線タグラベルＴのＩＣ回路部１５１のＩＤとの対応関係は、前述のルートサーバ４に記憶され、必要に応じて参照できるようになっている。
【０１１８】
以上において、信号処理回路２２は、ＩＣ回路部１５１へアクセスするためのアクセス情報(「Scroll All ID」信号、「Erase」信号、「Verify」信号、「Program」信号、及び後述の「Ping」信号等)を生成するアクセス情報生成手段を構成する。また、高周波回路２１の送信部３２とアンテナ１４とが、アクセス情報生成手段で生成したアクセス情報を、無線タグ回路素子のＩＣ回路部に無線通信を介して非接触で伝達し、無線タグ情報にアクセスを行う情報アクセス手段を構成し、送信部３２は、アクセス情報生成手段で生成したアクセス情報を装置側アンテナを介して非接触でタグ側アンテナに送信し、ＩＣ回路部の無線タグ情報へのアクセスを行う情報送信手段をも構成する。
【０１１９】
また、制御回路３０が、カートリッジホルダ部に取り付けたカートリッジに備えられた無線タグ回路素子のタグ属性パラメータ又は通信パラメータに合致するように、情報送信手段からの送信態様を制御する送信制御手段を構成する。
【０１２０】
以上のように構成した本実施形態の無線タグ情報通信装置２においては、信号処理回路２２で生成されたアクセス情報が、アンテナ１４より無線タグ回路素子Ｔoのアンテナ１５２へ送信され、ＩＣ回路部１５１へアクセス（読み取り又は書き込み）が行われる。このとき、カートリッジ１００の被検出部１９０に形成された識別子１９０Ａ〜Ｄによる通信・タグ属性パラメータ情報がセンサ１９で検出され、これに基づき制御回路３０がそのカートリッジ１００の無線タグ回路素子Ｔoに係わるタグ属性パラメータ又は通信パラメータを合致させるように送信態様を制御する。
【０１２１】
これにより、１つの無線タグ情報通信装置２において、無線タグ回路素子Ｔoのタグ属性パラメータや通信パラメータが互いに異なる複数のカートリッジ１００をカートリッジホルダ部に適宜着脱交換して使用する場合であっても、速やかにかつ容易に各カートリッジ１００の無線タグ回路素子Ｔoに対応した最適なパラメータを用いて情報通信を行うことができる。すなわち、カートリッジ１００の種類（言いかえれば通信対象の無線タグ回路素子Ｔoの種類）に関係なく、速やかにかつ容易に通信可能な状態とすることができる。
【０１２２】
なお、上記第１の実施形態においては、図１６のフローを用いて前述したように、センサ２０の検出信号に基づき取得した通信・タグ属性パラメータ情報を、制御回路３０内のＲＡＭ等に記憶させたが、これに限られず、別途（制御回路３０内又は外部に）設けた不揮発性メモリにより構成される不揮発性記憶手段（いわゆるＥＥＰＲＯＭ等）に記憶させても良い。
【０１２３】
この場合、電源をオフしても記憶内容を保持しておけることから、前述のようにいったん記憶させた通信・タグ属性パラメータ情報を電源ＯＮ時に読み出すようにしてもよい。
【０１２４】
図１９はこのような変形例に対応した制御回路３０による図１５ステップＳ１の「タグ種別判定」手順に相当する制御フローであり、前述の図１６に相当する図である。
【０１２５】
図１９において、上記したように、電源ＯＦＦの状態から電源がＯＮになるとこのフローが開始される。まず、ステップＳ１６において、上記不揮発性記憶手段から、既に記憶されていた通信パラメータを読み出す。その後、ステップＳ１７に移り、同様に、上記不揮発性記憶手段から、既に記憶されていたタグ属性パラメータを読み出し、このルーチンを終了する。
【０１２６】
以降は、上述したのと同様、これら読み出した通信パラメータ・タグ属性パラメータを用いて、図１７又は図１８のフローに沿って、無線タグ情報の読み取り又は書き込みを行う。
【０１２７】
なお、上記をさらに進めて、電源ＯＮのときだけでなく、例えばカートリッジ１００の交換のために上記筐体９に設けた蓋が開閉されたことに応じて上記のような記憶手段からのパラメータ読み出しを行ってもよい。この場合、図２に示した前述の蓋開閉検出センサ１９によって蓋が開かれさらに閉じられたことを検出した場合に、上記図１９のフローを開始するようにすればよい。
【０１２８】
本発明の第２の実施形態を図２０〜図２７により説明する。この実施形態は、上記第１の実施形態と同様、本発明を無線タグの生成システムに適用した場合の実施形態であり、上記第１の実施形態のようにパラメータ情報検出用のセンサを用いることなく、無線タグ回路素子Ｔoへの無線通信によって上記パラメータ情報を得る実施形態である。上記第１の実施形態と同等の部分には同一の符号を付し、適宜説明を省略する。
【０１２９】
本実施形態では、上述したように、先の図１５に示したステップＳ１の「タグ種別判定手順」において非接触の無線通信により通信・タグ属性パラメータを得ることが上記第１の実施形態と大きく異なる。
【０１３０】
図２０は、その本実施形態の要部である、制御回路３０によって実施される上記ステップＳ１（タグ種別判定手順）の詳細手順を表すフローチャートである。
【０１３１】
本実施形態では、前述した通信パラメータ（無線通信に使用する電波のアクセス周波数、通信プロトコル等）やタグ属性パラメータ（無線タグ回路素子Ｔoのアンテナ１５２の感度、ＩＣ回路部１５１のメモリ容量、素子Ｔoを貼り付けるテープ１０１の幅、テープ１０１上の素子Ｔoの配置間隔等）のうち、通信パラメータを構成するアクセス周波数及び通信プロトコルが異なると通信が全く行えないことに鑑み、最低限これら２つを合致させるように制御することに主眼をおいたものである。
【０１３２】
また本実施形態では、予め、通信プロトコルのタイプ及びアクセス周波数のパターンが複数個（この例ではプロトコル番号Ｐ１〜Ｐ５、周波数パターンＦ１〜Ｆ５のそれぞれ５個）用意されており、その中の範囲でカートリッジ１００（言い換えれば無線タグ回路素子Ｔo）がどの種別であるのかを探索し、正しい通信パラメータを検出・判定するものである。
【０１３３】
まずステップＳ２１で、初期値として上記通信プロトコル番号Ｐ＝１、上記アクセス周波数番号Ｆ＝１に設定する。
【０１３４】
次に、まずステップＳ２２において、送信部３２からの送信信号の出力値を定める可変送信アンプ３９（図４参照）での増幅率を決定する「ＴＸ＿ＰＷＲ」信号の値を相対的に大きな所定値に設定する。これは、カートリッジ１００内を含め（仮に複数あるいは多数の無線タグ回路素子Ｔoから応答があったとしても）なるべく確実に何らかの応答信号を得て、これによって通信パラメータを検出できるようにするためである（言い換えれば無線タグ回路素子Ｔoを特定する必要はなく、不特定複数又は多数の無線タグ回路素子Ｔoからの応答信号が得られてもよい）。
【０１３５】
そして、ステップＳ２３において、通信範囲にある無線タグ回路素子Ｔoに応答を促す「Ping」コマンドを信号処理回路２２に出力する。信号処理回路２２ではこれに基づく「ＴＸ＿ＡＳＫ」信号が生成されて送信乗算回路３８に出力され、送信乗算回路３８で対応する上記振幅変調が行われアクセス情報としての「Ping」信号となる。この「Ping」信号はさらに、上記送信アンプ３９で制御回路３０から入力した上記「ＴＸ＿ＰＷＲ」信号に基づく増幅率（前述のように「ＴＸ＿ＰＷＲ」は比較的大きい値となっている）で信号増幅が行われ、送受分離器３４及びアンテナ１４を介し送信され、もしアクセス可能範囲にある無線タグ回路素子Ｔoがあれば、それからの返信を促す。
【０１３６】
次に、ステップＳ２４において、アクセス可能範囲の無線タグ回路素子Ｔoがあれば、上記「Scroll All ID」信号に対応してその無線タグ回路素子Ｔoから送信された応答信号としてのリプライ信号（物品情報等の無線タグ情報）をアンテナ１４を介して受信し、受信部３３及び信号処理回路２２を介し取り込む。
【０１３７】
次に、ステップＳ２５において、上記ステップＳ２４で受信したリプライ信号の前述のＣＲＣ符号によって少なくとも１つの正しいＩＤが取得できたか否かを判定する。
【０１３８】
このときの通信プロトコル（プロトコル番号Ｐ＝１）及びアクセス周波数（周波数番号Ｆ＝１）がカートリッジ１００内の無線タグ回路素子Ｔoの通信プロトコル及び周波数に合致していない場合、リプライ信号が得られないため、この判定が満たされずステップＳ２６に移る。
【０１３９】
ステップＳ２６では周波数番号Ｆ＝１はそのままでプロトコル番号Ｐに１を加え、ステップＳ２７を経てステップＳ２３に戻る。そして、ステップＳ２４及びステップＳ２５で良好なリプライ信号が得られない場合は、Ｐ＝１→２→…→５とステップＳ２３〜ステップＳ２７を繰り返す。Ｐ＝５までプロトコル番号を増やしてトライしても良好なリプライ信号を得られない場合は、ステップＳ２７の判定が満たされてステップＳ２８でプロトコル番号Ｐ＝１に戻すと共に、今度は周波数番号Ｆに１を加えて２とし、ステップＳ３０を経て再度ステップＳ２３に戻る。そして、ステップＳ２４及びステップＳ２５で良好なリプライ信号が得られない場合は、Ｆ＝２の状態で、前述と同様、Ｐ＝１→２→…→５とステップＳ２３〜ステップＳ２７を繰り返す。
【０１４０】
以上のようにして、Ｐ＝１〜５、Ｆ＝１〜５の２５通りの組み合わせのいずれかでカートリッジ１００の無線タグ回路素子Ｔoの通信プロトコル及びアクセス周波数に合致すると、良好なリプライ信号が得られるので、その時点でステップＳ２５の判定が満たされステップＳ３２に移る。なお、上記２５通りの組み合わせのいずれでも良好なリプライ信号を得ることができなかった場合には、最終的にステップＳ３０の判定が満たされてステップＳ３１に移り、カートリッジ１００内に無線タグ回路素子Ｔoが１つもないか、そもそも上記２５通りで通信プロトコル及びアクセス周波数の範囲を設定する本実施形態の無線タグ情報通信装置２の適用可能範囲外であるとみなし、エラー表示信号を通信回路３１及び通信回線３を介し上記端末５又は汎用コンピュータ６へ出力し、対応する読み取り失敗（エラー）表示を行わせ、前述のステップＳ２へ移る（あるいはこの時点で無線タグ情報へのアクセスを中止し、制御フローを終了してもよい）。
【０１４１】
ステップＳ３２では、先の図１６のステップＳ１２及びＳ１３と同様、上記ステップＳ２４で受信した応答信号（リプライ信号）に基づき、所定の処理（必要に応じ演算、分析、抽出等を含む）を行うことにより、当該応答信号を返した無線タグ回路素子Ｔoに対応した（言い換えればカートリッジ１００に対応した）通信パラメータ（無線通信に使用する電波の周波数及び通信プロトコル等）を取得した後、ステップＳ３３でその通信パラメータ情報をＲＡＭ内に（若しくは、通信回路３１及び通信回線３を介し上記端末５又は汎用コンピュータ６さらにはルートサーバ４又は情報サーバ７内に）記憶させる。
【０１４２】
次に、上記のようにして通信パラメータの取得が完了し前述のような必要がなくなったことから、ステップＳ３４で、上記「ＴＸ＿ＰＷＲ」信号の値を相対的に小さな（目的のタグと通信するのに必要最小限である）所定値に戻す（再設定する）。
【０１４３】
その後、ステップＳ３５に移り、上記リプライ信号を返してきた無線タグ回路素子Ｔoを特定して、上記同様の「Scroll ID」コマンドを信号処理回路２２に出力する。これに基づき信号処理回路２２でアクセス情報としての「Scroll ID」信号が生成されて高周波回路２１を介してアクセス対象の当該無線タグ回路素子Ｔoに送信され、返信を促す。
【０１４４】
次に、ステップＳ３６において、上記「Scroll ID」信号に対応した無線タグ回路素子Ｔoから送信されたリプライ信号（物品情報等の無線タグ情報）をアンテナ１４を介して受信し、高周波回路２１及び信号処理回路２２を介し取り込む。
【０１４５】
その後、ステップＳ３７において、先の図１６のステップＳ１４及びステップＳ１５と同様、当該リプライ信号を返した無線タグ回路素子Ｔoに対応し、所定のフォーマットでメモリ部１５７に記憶されている（言い換えればカートリッジ１００に対応した）上記タグ属性パラメータ（無線タグ回路素子Ｔoのアンテナ１５２の感度、ＩＣ回路部１５１のメモリ容量、素子Ｔoを貼り付けるテープ１０１の幅、テープ１０１上の素子Ｔoの配置間隔等）を取得し、ステップＳ３８でそのタグ属性パラメータ情報を上記同様ＲＡＭ内に（若しくは、通信回路３１及び通信回線３を介し上記端末５又は汎用コンピュータ６さらにはルートサーバ４又は情報サーバ７内に）記憶させ、このルーチンを終了する。
【０１４６】
このようにして図１５に示したステップＳ１の「タグ種別判定手順」が終了すると、上記第１の実施形態と同様、ステップＳ２に移る。
【０１４７】
図２１は、この第２の実施形態において制御回路３０が実行する上記ステップＳ２のタグ情報アクセスの一例である、無線タグ回路素子ＴoのＩＣ回路部１５１からの無線タグ情報読み取り手順を表すフローチャートである。
【０１４８】
この図２１において、先の第１の実施形態の図１７に示したフローと異なる点は、ステップＳ１００の前にステップＳ９０が新たに設けられ、前述したように無線タグ情報通信装置２の読み取り操作が行われると、まずこのステップＳ９０が実行されることである。
【０１４９】
すなわち、ステップＳ９０では、先に図２０に示したステップＳ３３及びステップＳ３８でＲＡＭ等に記憶格納した通信パラメータ及びタグ属性パラメータを、そのＲＡＭ等より読み込む。以降の手順は、その読み込んだパラメータを使用するものであり、先の図２０とほぼ同様であるので説明を省略する。
【０１５０】
また図２２は、第２の実施形態において制御回路３０が実行する上記ステップＳ２のタグ情報アクセスの他の例である、無線タグ回路素子ＴoのＩＣ回路部１５１への無線タグ情報書き込み手順を表すフローチャートである。
【０１５１】
この図２２において、先の第１の実施形態の図１８に示したフローと異なる点は、ステップＳ２００の前にステップＳ１９０が新たに設けられ、前述したように無線タグ情報通信装置２の書き込み操作が行われると、まずこのステップＳ１９０が実行されることである。
【０１５２】
すなわち、ステップＳ１９０では、先に図２０に示したステップＳ３３及びステップＳ３８でＲＡＭ等に記憶格納した通信パラメータ及びタグ属性パラメータを、そのＲＡＭ等より読み込む。以降の手順は、その読み込んだパラメータを使用するものであり、先の図１７とほぼ同様であるので説明を省略する。
【０１５３】
以上において、受信部３３が、各請求項記載の、情報送信手段によるアクセス情報の送信後、この送信されたアクセス情報に応じてＩＣ回路部より送信された返答信号を、タグ側アンテナを介し非接触で装置側アンテナで受信し、読み込みを行う情報受信手段を構成する。
【０１５４】
また、図２０のステップＳ３２、ステップＳ３７で取得した通信パラメータ及びタグ属性パラメータ情報が、情報受信手段で読み込んだ返答信号に基づき、対応する無線タグ回路素子のタグ属性パラメータに係わる第２パラメータ情報に相当し、これらのステップが第２情報検出手段に相当する。
【０１５５】
以上のように構成した本実施形態においても、上記第１の実施形態と同様の効果を得る。すなわち、信号処理回路２２で生成されアンテナ１４を介し送信されたアクセス情報送信後にＩＣ回路部１５１から返答された返答信号が受信部３３で受信され、その返答信号に基づき通信パラメータ情報及びタグ属性パラメータ情報が取得され、これに基づき制御回路３０が送信部３２からのタグ属性パラメータ又は通信パラメータを合致させるように送信態様を制御する。これにより、上記第１の実施形態同様、備えられた無線タグ回路素子Ｔoに係わるタグ属性パラメータや通信パラメータが互いに異なる複数のカートリッジ１００をカートリッジホルダ部に適宜着脱交換して使用する場合であっても、速やかにかつ容易に各カートリッジ１００の無線タグ回路素子Ｔoに対応した最適なパラメータを用いて情報通信を行うことができる。すなわち、カートリッジ１００の種類（言いかえれば通信対象の無線タグ回路素子Ｔoの種類）に関係なく、速やかにかつ容易に通信可能な状態とすることができる。
【０１５６】
なお、上記本発明の第２の実施形態においては、本発明の趣旨と技術思想の範囲を逸脱しない範囲でさらに種々の変形が可能である。以下、そのような変形例を説明する。
【０１５７】
（１）アクセス失敗時の再問い合わせ
すなわち、上述のようにして通信パラメータ及びタグ属性パラメータを取得してカートリッジ１００の全無線タグ回路素子Ｔoと通信を開始しようとした場合に、アクセスが失敗したときは、当初取得したパラメータ情報が誤っていた可能性があることから、再度無線タグ回路素子Ｔo側に確認のための問い合わせを行うものである。
【０１５８】
図２３は、本変形例の要部を構成する、制御回路３０の実施するタグ情報読み取り手順を表すフローチャートであり、上記第２の実施形態における図２１に相当する図である。
【０１５９】
図２３に示すフローにおいては、図１７のステップＳ１７０に代えて、ステップＳ１７０Ａを設けている。すなわち、ステップＳ１６０において通信不良等が疑われるときのリトライ（再試行）の回数をカウントする変数Ｎ＝５となった場合（５回通信試行したが失敗した場合）は、ステップＳ１７０Ａに移り、再判定処理を行う。
【０１６０】
図２４は、この再判定処理の詳細手順を表すフローチャートである。
【０１６１】
図２４の制御手順は、前述した図２０のタグ種別判定処理手順と比較的類似している。すなわちまず、ステップＳ２１に代えて新たに設けたステップＳ２１Ａで、既にＲＡＭ等の記憶手段に記憶保持された通信プロトコル番号Ｐ、アクセス周波数番号Ｆを読み込む。
【０１６２】
その後、ステップＳ２２〜ステップＳ２５は図２０と同様であり、「ＴＸ＿ＰＷＲ」信号の値を相対的に大きな所定値に設定して「Ping」コマンドを信号処理回路２２に出力してアクセス可能範囲にある無線タグ回路素子Ｔoからの返信を促し、受信したリプライ信号を取り込んで、少なくとも１つの正しいＩＤが取得できたか否かを判定する。
【０１６３】
良好なリプライ信号が得られない場合、ステップＳ２６に代えて新たに設けたステップＳ２６Ａで周波数番号Ｆ及びプロトコル番号Ｐを適宜変化させ、再度ステップＳ２３に戻って同様の手順を繰り返す。この場合、前述のステップＳ２６と同様に番号を１つずつ加えて試行してもよいし、その他の手法でもよい。
【０１６４】
すべてのＦ及びＰを試してみても（前述の例ではＦ，Ｐ＝１〜５までの２５通り）良好なリプライ信号を得られない場合は、上記図２０と同様、ステップＳ３１に移り、エラー表示信号を出力し読み取り失敗（エラー）表示を行わせる。
【０１６５】
Ｐ，Ｆの組み合わせのいずれかでカートリッジ１００の無線タグ回路素子Ｔoの通信プロトコル及びアクセス周波数に合致すると、ステップＳ２５の判定が満たされ、図２０と同様、ステップＳ３２で、その受信した応答信号（リプライ信号）に基づき、当該応答信号を返した無線タグ回路素子Ｔoに対応した通信パラメータを取得する。
【０１６６】
その後、ステップＳ３３に代えて新たに設けたステップＳ３３Ａで、その取得した通信パラメータ情報をＲＡＭ内に（若しくは、通信回路３１及び通信回線３を介し上記端末５又は汎用コンピュータ６さらにはルートサーバ４又は情報サーバ７内に）記憶させ、上書き更新処理を行う（それまでの記憶内容に関係なく、同じ値であっても更新する）。
【０１６７】
その後、ステップＳ３４〜ステップＳ３７は図２０と同様であり、「ＴＸ＿ＰＷＲ」信号の値を必要最小限の小さな所定値に戻し、上記リプライ信号を返してきた無線タグ回路素子Ｔoを特定し「Scroll All ID」コマンドを信号処理回路２２に出力してアクセス対象の当該無線タグ回路素子Ｔoの返信を促し、対応した無線タグ回路素子Ｔoから送信されたリプライ信号を取り込み、当該リプライ信号を返した無線タグ回路素子Ｔoに対応したタグ属性パラメータを取得する。
【０１６８】
その後、ステップＳ３８に代えて新たに設けたステップＳ３８Ａで、その取得したタグ属性パラメータ情報をＲＡＭ内に（若しくは、通信回路３１及び通信回線３を介し上記端末５又は汎用コンピュータ６さらにはルートサーバ４又は情報サーバ７内に）記憶させ、上書き更新処理を行い（それまでの記憶内容に関係なく、同じ値であっても更新する）、このルーチンを終了し、前述の図２３のステップＳ１８０に移る。
【０１６９】
以上において、図２３に示すフローのステップＳ１４０、ステップＳ１５０、ステップＳ１６０が、請求項８記載の、送信制御手段の制御に基づく送信態様で情報送信手段がアクセスを実行後、ＩＣ回路部へのアクセスが成功したか否かの判定を行う判定手段に相当し、ステップＳ１７０Ａが、この判定手段でアクセス失敗と判定された場合には、無線タグ回路素子のタグ属性パラメータ又は通信パラメータを再確認するための再確認指令信号を、装置側アンテナを介して非接触でタグ側アンテナに送信する再確認指令送信手段に相当する。
【０１７０】
また、ステップＳ２４及びステップＳ２５で受信し認識した無線タグ回路素子Ｔoからの通信パラメータ情報及びタグ属性パラメータ情報が第５パラメータ情報に相当し、受信部３３が、再確認指令信号に応じてＩＣ回路部より読み出されたタグ属性パラメータ又は通信パラメータに関する第５パラメータ情報を、タグ側アンテナを介し非接触で装置側アンテナで受信し、読み込みを行う情報再受信手段を構成する。
【０１７１】
さらに、図２３に示すフローのステップＳ３３Ａ及びステップＳ３８Ａが、記憶手段内のパラメータ情報を第５パラメータに更新する更新制御手段に相当する。
【０１７２】
なお、上記は制御回路３０が実行する上記ステップＳ２のタグ情報アクセスの一例である、無線タグ回路素子ＴoのＩＣ回路部１５１からの無線タグ情報読み取り手順のフローを例にとって説明したが、タグ情報アクセスの他の例である無線タグ情報書き込みにおいても同様の手順で行えばよいことは言うまでもない。
【０１７３】
以上のように構成した本変形例においては、制御回路３０の制御に基づく送信態様で無線タグ回路素子ＴoのＩＣ回路部１５１へのアクセスを行った後、図２３のステップＳ１４０〜ステップＳ１６０で、そのアクセスが成功したかどうかの判定を行う。アクセス失敗と判定された場合には、ステップＳ１７０Ａで再確認指令信号を送信し、これに応じてＩＣ回路部１５１より読み出された通信パラメータ・タグ属性パラメータ情報が受信部３３で受信し読み込まれる。そして制御回路３０が、図２４のステップＳ３３Ａ及びステップＳ３８Ａで、それまでのＲＡＭ等の記憶手段内の記憶内容に関係なく、その記憶情報を、上記読み込んだパラメータ情報に更新する。これにより、当初読み取ったタグ属性パラメータや通信パラメータ情報が何らかの原因で誤っていた（誤読み取りであった）としても、更新時に正しい情報に修正することができる。
【０１７４】
特にこのとき、上述したように、図２４のステップＳ２３で、再確認指令信号としてのScroll All ID信号を生成し送信する際、とりあえずステップＳ２１Ａで、まずそれまでにＲＡＭ等の記憶手段に記憶されていた通信パラメータ（プロトコルＰ及び周波数Ｆ）に沿って信号を生成する。そして、ステップＳ２６Ａでこの過去の経験値から出発してさらにそれと異なる通信パラメータに沿って信号を生成する。このように一応それまでの過去の経験値を参考にする分、少なくとも上記通信パラメータをアトランダムにしてScroll All ID信号を生成する場合に比べれば、最終的に正しい通信パラメータに到達する確率を高め、あるいは到達する時期を比較的早くすることが可能となる。
【０１７５】
（２）電源ＯＮ時に自動的に問い合わせ
上記第２の実施形態においては、図２０のフローのステップＳ３２及びステップＳ３７で説明したように、取得した通信・タグ属性パラメータ情報を、制御回路３０内のＲＡＭ等に記憶させたが、これに限られず、別途（制御回路３０内又は外部に）設けた不揮発性記憶手段（いわゆるＥＥＰＲＯＭ等）に記憶させても良い。
【０１７６】
この場合、電源をオフしても記憶内容を保持しておけることから、前述のようにいったん記憶させた通信・タグ属性パラメータ情報を電源ＯＮ時に読み出すようにしてもよい。
【０１７７】
図２５はこのような変形例に対応した制御回路３０による図１５ステップＳ１の「タグ種別判定」手順に相当する制御フローであり、前述の図２０に相当する図である。
【０１７８】
図２５において、上記したように、電源ＯＦＦの状態から電源がＯＮになるとこのフローが開始される。このフローの制御手順は、上記（１）で前述した図２４のタグ再判定処理の手順を比較的類似している。すなわちまず、ステップＳ２１Ａに代えて新たに設けたステップＳ２１Ｂで、前述のように既にＥＥＰＲＯＭ等の不揮発性記憶手段に記憶保持された通信プロトコル番号Ｐ、アクセス周波数番号Ｆを読み込む。
【０１７９】
その後、ステップＳ２２〜ステップＳ３８Ａは図２４と同様であり、「ＴＸ＿ＰＷＲ」信号の値を相対的に大きな所定値に設定して「Ping」コマンドを信号処理回路２２に出力してアクセス可能範囲にある無線タグ回路素子Ｔoからの返信を促し、受信したリプライ信号を取り込んで、少なくとも１つの正しいＩＤが取得できたか否かを判定する。良好なリプライ信号が得られない場合は周波数番号Ｆ及びプロトコル番号Ｐを適宜変化させ、すべてのＦ及びＰを試してみても良好なリプライ信号を得られない場合は読み取り失敗（エラー）表示を行わせる。Ｐ，Ｆの組み合わせのいずれかでカートリッジ１００の無線タグ回路素子Ｔoの通信プロトコル及びアクセス周波数に合致すると、その受信した応答信号（リプライ信号）に基づき、当該応答信号を返した無線タグ回路素子Ｔoに対応した通信パラメータを取得し上記ＥＥＰＲＯＭ又はＲＡＭ内に（若しくは、通信回路３１及び通信回線３を介し上記端末５又は汎用コンピュータ６さらにはルートサーバ４又は情報サーバ７内に）記憶させ、上書き更新処理を行う（それまでの記憶内容に関係なく、同じ値であっても更新する）。その後、「ＴＸ＿ＰＷＲ」信号の値を相対的に小さな所定値に戻し、上記リプライ信号を返してきた無線タグ回路素子Ｔoを特定し「Scroll All ID」信号を出力して返信を促し、送信されたリプライ信号を取り込み、当該リプライ信号を返した無線タグ回路素子Ｔoに対応したタグ属性パラメータを取得し、上記同様の上書き更新処理を行う。
【０１８０】
その後、ステップＳ３８Ａが終了後、このルーチンを終了し、前述のステップＳ２に移って無線タグ情報のアクセス（読み取り又は書き込み）を行う。
【０１８１】
以上において、図２５に示すフローのステップＳ２３で送信する「Ping」信号が、請求項９記載の、電源投入時に、無線タグ回路素子のタグ属性パラメータ又は通信パラメータを初期確認するための初期確認指令信号に相当し、この信号を送信する送信部３２が、初期確認指令信号を装置側アンテナを介して非接触でタグ側アンテナに送信する初期確認指令送信手段を構成する。
【０１８２】
また、ステップＳ２４及びステップＳ２５で受信し認識した無線タグ回路素子Ｔoからの通信パラメータ情報及びタグ属性パラメータ情報が第６パラメータ情報に相当し、受信部３３が、初期確認指令信号に応じてＩＣ回路部より読み出されたタグ属性パラメータ又は通信パラメータに関する第６パラメータ情報を、タグ側アンテナを介し非接触で装置側アンテナで受信し、読み込みを行う初期情報受信手段を構成する。
【０１８３】
さらに、図２５に示すフローのステップＳ３３Ａ及びステップＳ３８Ａが、記憶手段内のパラメータ情報を第６パラメータに更新する更新制御手段に相当する。
【０１８４】
本変形例においては、電源投入の都度、送信部３２が初期確認指令信号としてのPing信号を送信し、これに応じ無線タグ回路素子ＴoのＩＣ回路部１５１より読み出された通信パラメータ・タグ属性パラメータ情報が受信部３３で受信し読み込まれる。そして、制御回路３０が、図２５のステップＳ３３Ａ及びステップＳ３８Ａで、それまでのＥＥＰＲＯＭ又はＲＡＭ等の記憶手段内の記憶内容に関係なく、その記憶情報を、上記読み込んだパラメータ情報に更新する。  これにより、電源投入の都度、それまでの上記記憶手段の記憶内容に関係なく、確実に記憶手段内のパラメータ情報を正常化（誤読み取りがあった場合は修正、正常に記憶されていた場合は再確認）することができる。）
また、上述したように、図２５のステップＳ２３で、初期確認指令信号としてのPing信号を生成し送信する時に、とりあえずステップＳ２１Ｂで、まずそれまでにＥＥＰＲＯＭ等の不揮発性記憶手段に記憶されていた通信パラメータ（プロトコルＰ及び周波数Ｆ）に沿って信号を生成する。そして、ステップＳ２６Ａでこの過去の経験値から出発してさらにそれと異なる通信パラメータに沿って信号を生成する。このように一応それまでの過去の経験値を参考にする分、少なくとも上記通信パラメータをアトランダムにしてPing信号を生成する場合に比べれば、最終的に正しい通信パラメータに到達する確率を高め、あるいは到達する時期を比較的早くすることが可能となる。
【０１８５】
なお、上記をさらに進めて、電源ＯＮのときだけでなく、例えばカートリッジ１００の交換のために上記筐体９に設けた蓋が開閉されたことに応じて上記のような記憶手段からのパラメータ読み出しを行ってもよい。この場合、図２に示した前述の蓋開閉検出センサ１９によって蓋が開かれさらに閉じられたことを検出した場合に、上記図２５のフローを開始するようにすればよい。
【０１８６】
（３）センサによる検出とセンサによらない検出との分担・組み合わせ
すなわち、上記第１実施形態では、通信パラメータ（無線通信に使用する電波の周波数、通信プロトコル等）やタグ属性パラメータ（無線タグ回路素子Ｔoのアンテナ１５２の感度、ＩＣ回路部１５１のメモリ容量、素子Ｔoを貼り付けるテープ１０１の幅、テープ１０１上の素子Ｔoの配置間隔等）の両方を、センサ２０によってカートリッジ１００の被検出部識別子１９０Ａ〜Ｄより検出し、また上記第２実施形態では、それら通信パラメータ及びタグ属性パラメータの両方を無線タグ回路素子Ｔoへの非接触の無線通信によって検出し取得した。
【０１８７】
そこで、それらの中間的な手法として、それら通信パラメータ及びタグ属性パラメータの一部をセンサで検出し、残りを無線通信で検出することが考えられる。以下、その例を２つ説明する。
【０１８８】
（３−１）通信パラメータをセンサで、タグ属性パラメータを無線通信で検出
図２６は、この変形例の要部である、制御回路３０が実行するタグ種別判定の制御手順（図１５中のステップＳ１に相当）を表すフローチャートである。
【０１８９】
図２６に示すように、この制御手順は、前述した第１の実施形態の図１６の制御フローと、第２の実施形態の図２０の制御フローとを組み合わせたものと同等となる（同等手順には同一のステップ番号を付している）。
【０１９０】
すなわち、まずＳ１１において、上記第１の実施形態で説明したパラメータ検出用のセンサ２０により検出したカートリッジ１００の被検出部１９０（この場合、識別子１９０Ａ〜Ｄには通信パラメータ情報のみが形成される）の検出信号を入力（識別）し、その後ステップＳ１２において、上記ステップＳ１１で検出した検出信号に基づき、所定の処理（必要に応じ演算、分析、抽出等を含む）を行うことにより、識別子１９０Ａ〜Ｄに表されたパラメータ情報のうち、ステップＳ１２で上記通信パラメータ（無線通信に使用する電波の周波数、通信プロトコル等）を取得した後、ステップＳ１３でその通信パラメータ情報をＲＡＭ内に（若しくは、通信回路３１及び通信回線３を介し上記端末５又は汎用コンピュータ６さらにはルートサーバ４又は情報サーバ７内に）記憶させる。
【０１９１】
その後、ステップＳ３５に移り、第２の実施形態と同様、所定の無線タグ回路素子Ｔoを特定して、「Scroll ID」コマンドを信号処理回路２２に出力する。これに基づき信号処理回路２２でアクセス情報としての「Scroll ID」信号が生成されて高周波回路２１を介してアクセス対象の当該無線タグ回路素子Ｔoに送信され、返信を促す。次に、ステップＳ３６において、上記「Scroll ID」信号に対応した無線タグ回路素子Ｔoから送信されたリプライ信号をアンテナ１４を介して受信し、高周波回路２１及び信号処理回路２２を介し取り込む。
【０１９２】
そして、ステップＳ３７において、当該リプライ信号を返した無線タグ回路素子Ｔoに対応したタグ属性パラメータ（無線タグ回路素子Ｔoのアンテナ１５２の感度、ＩＣ回路部１５１のメモリ容量、素子Ｔoを貼り付けるテープ１０１の幅、テープ１０１上の素子Ｔoの配置間隔等）を取得し、ステップＳ３８でそのタグ属性パラメータ情報を上記Ｓ１２と同様ＲＡＭ内に（若しくは、通信回路３１及び通信回線３を介し上記端末５又は汎用コンピュータ６さらにはルートサーバ４又は情報サーバ７内に）記憶させ、このルーチンを終了する。
【０１９３】
このようにして図１５に示したステップＳ１に相当する「タグ種別判定手順」が終了すると、ステップＳ２に移る。
【０１９４】
以上において、センサ２０が、請求項４記載の、対応する無線タグ回路素子の通信パラメータに対応してカートリッジに形成された第３パラメータ情報を検出する第３情報検出手段を構成し、送信部３２が、この第３情報検出手段で検出した第３パラメータ情報に基づき、無線タグ回路素子のタグ属性パラメータを確認するための確認指令信号を、装置側アンテナを介して非接触でタグ側アンテナに送信する確認指令送信手段を構成する。
【０１９５】
また、受信部３３が、確認指令信号に応じてＩＣ回路部より読み出されたタグ属性パラメータに関する第４パラメータ情報を、タグ側アンテナを介し非接触で装置側アンテナで受信し、読み込みを行う確認情報受信手段を構成する。
【０１９６】
本変形例においては、カートリッジ１００に形成された識別子１９０Ａ〜Ｄによる通信パラメータ情報がセンサ２０で検出され、これに基づき確認指令信号としてのScroll All ID信号が送信部３２からアンテナ１５２に送信され、これに応じたタグ属性パラメータ情報がＩＣ回路部１５１より読み出されて受信部３３で受信される。この結果、このタグ属性パラメータ情報と先にセンサ２０で検出した通信パラメータ情報とに基づき、制御回路３０が送信部３３からのタグ属性パラメータ又は通信パラメータを合致させるように送信態様を制御する。
【０１９７】
このようにして、本変形例においても、上記第１及び第２実施形態と同様、備えられた無線タグ回路素子Ｔoのタグ属性パラメータや通信パラメータが互いに異なる複数のカートリッジ１００をカートリッジホルダ部に適宜着脱交換して使用する場合であっても、速やかにかつ容易に各カートリッジ１００の無線タグ回路素子Ｔoに対応した最適なパラメータを用いて情報通信を行うことができる。すなわち、カートリッジ１００の種類（言いかえれば通信対象の無線タグ回路素子Ｔoの種類）に関係なく、速やかにかつ容易に通信可能な状態とすることができる。
【０１９８】
（３−２）通信パラメータをセンサと無線通信とで分担して検出
図２７は、この変形例の要部である、制御回路３０が実行するタグ種別判定の制御手順（図１５中のステップＳ１に相当）を表すフローチャートである。
【０１９９】
図２７に示すように、この制御手順は、上記（３−１）の変形例の図２６に示すステップＳ１２及びＳ１３において通信パラメータのうち一部（この例ではプロトコル情報）を検出・取得し、残り（この例ではアクセス周波数）については先の第２の実施形態における図２０に示した制御手順に準じて検出・取得することとなる（同等手順には同一のステップ番号を付している）。
【０２００】
すなわち、まずＳ１１において、上記第１の実施形態で説明したパラメータ検出用のセンサ２０により検出したカートリッジ１００の被検出部１９０（この場合、識別子１９０Ａ〜Ｄには通信プロトコル情報のみが形成される）の検出信号を入力（識別）し、その後ステップＳ１２に準ずるステップＳ１２′において、上記ステップＳ１１で検出した検出信号に基づき、所定の処理（必要に応じ演算、分析、抽出等を含む）を行うことにより、識別子１９０Ａ〜Ｄに表された通信プロトコル情報を取得した後、ステップＳ１３の準ずるステップＳ１３′でその通信プロトコル情報をＲＡＭ内に（若しくは、通信回路３１及び通信回線３を介し上記端末５又は汎用コンピュータ６さらにはルートサーバ４又は情報サーバ７内に）記憶させる。
【０２０１】
次に、ステップＳ２１に準ずるステップＳ２１′に移り、初期値としてアクセス周波数番号Ｆ＝１に設定する。
【０２０２】
その後のステップＳ２２〜Ｓ２５は上記第２実施形態の図２０と同様であり、「ＴＸ＿ＰＷＲ」信号の値を相対的に大きな所定値に設定した後「Scroll All ID」信号を送信し、アクセス可能範囲の無線タグ回路素子Ｔoからの応答信号を受信し取り込み、少なくとも１つの正しいＩＤが取得できたか否かを判定する。
【０２０３】
このときのアクセス周波数（周波数番号Ｆ＝１）がカートリッジ１００内の無線タグ回路素子Ｔoのアクセス周波数に合致していない場合、良好なリプライ信号が得られないため、ステップＳ２５の判定が満たされず、ステップＳ２９で周波数番号Ｆに１を加え、ステップＳ３０を経てステップＳ２３に戻る。そして、ステップＳ２４及びステップＳ２５で良好なリプライ信号が得られない場合は、Ｆ＝１→２→…→５と番号を増やしながらステップＳ２３〜ステップＳ３０を繰り返す。Ｆ＝５まで周波数番号を増やしてトライしても良好なリプライ信号を得られない場合は、ステップＳ３０の判定が満たされてステップＳ３１に移り、前述の読み取り失敗（エラー）表示を行わせる。
【０２０４】
Ｆ＝１〜５のいずれかでカートリッジ１００の無線タグ回路素子Ｔoのアクセス周波数に合致すると良好なリプライ信号が得られてステップＳ２５の判定が満たされ、ステップＳ３２に準ずるステップＳ３２′に移る。
【０２０５】
ステップＳ３２′では、上記ステップＳ２４で受信した応答信号（リプライ信号）に基づき、所定の処理（必要に応じ演算、分析、抽出等を含む）を行うことにより、当該応答信号を返した無線タグ回路素子Ｔoに対応した（言い換えればカートリッジ１００に対応した）無線通信に使用する電波の周波数情報を取得した後、ステップＳ３３に準ずるステップＳ３３′でその周波数情報をＲＡＭ内に（若しくは、通信回路３１及び通信回線３を介し上記端末５又は汎用コンピュータ６さらにはルートサーバ４又は情報サーバ７内に）記憶させる。
【０２０６】
以降ステップＳ３４〜ステップＳ３８は図２０と同等であるので説明を省略する。
【０２０７】
このようにしてステップＳ３８までが終了し、図１５に示したステップＳ１の「タグ種別判定手順」が完了すると、上記と同様、ステップＳ２に移る。
【０２０８】
本変形例においても、上記第１及び第２実施形態並びに各変形例と同様、最終的にカートリッジ１００に備えられた無線タグ回路素子Ｔoのタグ属性パラメータや通信パラメータを得ることができるので、それらパラメータが互いに異なる複数のカートリッジ１００をカートリッジホルダ部に適宜着脱交換して使用する場合であっても、速やかにかつ容易に各カートリッジ１００の無線タグ回路素子Ｔoに対応した最適なパラメータを用いて情報通信を行うことができる。すなわち、カートリッジ１００の種類（言いかえれば通信対象の無線タグ回路素子Ｔoの種類）に関係なく、速やかにかつ容易に通信可能な状態とすることができる。
【０２０９】
なお、以上において、無線タグ回路素子の収納部として、長手方向に複数の無線タグ回路素子Ｔoが順次形成された基材テープ１０１を第１ローラ１０２に巻回して用いたが、これに限られない。すなわち、このローラ１０２に代えて、それぞれに１つの無線タグ回路素子Ｔoが形成された平紙状の複数のラベル素材を、平積み方向に積層して収納するトレイ部材（いわゆるスタックタイプのもの）を用いてもよい。この場合も同様の効果を得る。
【０２１０】
さらに、以上においては、無線タグ情報通信装置２は、無線タグ回路素子ＴoのＩＣ回路部１５１から無線タグ情報の読み取り又は書き込みを行うと共に、サーマルヘッド１０によってその無線タグ回路素子Ｔoを識別するための印刷（印字）を行うものであったが、この印刷は必ずしも行われなくともよく、無線タグ情報の読み取り又は書き込みのみを行うものであっても構わない。
【０２１１】
なお、以上で用いた「Scroll All ID信号」、「Erase信号」、「Verify信号」、「Program信号」とは、ＥＰＣ  ｇｌｏｖａｌが策定したＡｕｔｏ−ＩＤ仕様に準拠しているものとする。ＥＰＣ  ｇｌｏｖａｌは、流通コードの国際機関である国際ＥＡＮ協会と、米国の流通コード機関であるＵｎｉｆｏｒｍｅｄ  Ｃｏｄｅ  Ｃｏｕｎｃｉｌ（ＵＣＣ）が共同で設立した非営利法人である。なお、他の規格に準拠した信号でも、同様の機能を果たすものであればよい。
【０２１２】
その他、一々例示はしないが、本発明は、その趣旨を逸脱しない範囲内において、種々の変更が加えられて実施されるものである。
【図面の簡単な説明】
【０２１３】
【図１】本発明の第１の実施形態の無線タグ情報通信装置が適用される無線タグ生成システムを表すシステム構成図である。
【図２】図１に示した無線タグ情報通信装置の詳細構造を表す概念的構成図である。
【図３】図２に示した無線タグ情報通信装置に備えられた本実施形態によるカートリッジの詳細構造を表す側面図である。
【図４】図２に示した高周波回路の詳細機能を表す機能ブロック図である。
【図５】図２に示したセンサの詳細構造・機能を表す概念的構成図である。
【図６】センサと被検出部との位置関係を模式的に表す図である。
【図７】識別子におけるパラメータの割付を表す説明図である。
【図８】高感度タイプ及び低感度タイプの無線タグ回路素子の例をそれぞれ表す図である。
【図９】被検出部のセンサとしてメカニカルスイッチを用いる場合の例を表す図である。
【図１０】図２に示したアンテナの詳細機能を表す概念的構成図である。
【図１１】無線タグ回路素子の機能的構成を表す機能ブロック図である。
【図１２】形成された無線タグの外観の一例を表す上面図及び下面図である。
【図１３】図１２中XIII−XIII′断面による横断面図である。
【図１４】無線タグ情報へのアクセスに際し、端末又は汎用コンピュータに表示される画面の一例を表す図である。
【図１５】図２に示した制御回路によって実行される制御手順を表すフローチャートである。
【図１６】図１５に示すステップＳ１の詳細手順を表すフローチャートである。
【図１７】図１５に示したステップＳ２の一例である、無線タグ情報読み取り手順を表すフローチャートである。
【図１８】図１５に示したステップＳ２の他の例である、無線タグ情報書き込み手順を表すフローチャートである。
【図１９】通信・タグ属性パラメータ情報を電源ＯＮ時に読み出す変形例において、制御回路によるタグ種別判定手順に相当する制御フローである。
【図２０】本発明の第２の実施形態の要部である、制御回路によって実施されるタグ種別判定の詳細手順を表すフローチャートである。
【図２１】本発明の第２の実施形態の制御回路によって実行される無線タグ情報読み取り手順を表すフローチャートである。
【図２２】本発明の第２の実施形態の制御回路によって実行される無線タグ情報書き込み手順を表すフローチャートである。
【図２３】アクセス失敗時に再問い合わせする変形例における、制御回路の実行するタグ情報読み取り手順を表すフローチャートである。
【図２４】図２３に示す再判定処理の詳細手順を表すフローチャートである。
【図２５】電源ＯＮ時に自動的に問い合わせを行う変形例において、制御回路の実行するタグ種別判定手順を表すフローチャートである。
【図２６】通信パラメータをセンサで、タグ属性パラメータを無線通信で検出する変形例の要部である、制御回路が実行するタグ種別判定の制御手順を表すフローチャートである。
【図２７】通信パラメータをセンサと無線通信とで分担して検出する変形例の要部である、制御回路が実行するタグ種別判定の制御手順を表すフローチャートである。
【符号の説明】
【０２１４】
２          無線タグ情報通信装置
９          筐体
１４        アンテナ（装置側アンテナ、情報アクセス手段）
２０        センサ（第１情報検出手段；第３情報検出手段）
２２        信号処理回路（アクセス情報生成手段）
３０        制御回路（送信制御手段）
３２        送信部（情報送信手段、情報アクセス手段；初期確認指令送信手段；確認指令送信手段）
３３        受信部（情報受信手段；情報再受信手段；初期情報受信手段；確認情報受信手段）
１００      カートリッジ
１５１      ＩＣ回路部
１５２      アンテナ（タグ側アンテナ）
Ｔo         無線タグ回路素子
【図１】
2005260521.tif 000003
【図２】
2005260521.tif 000004
【図３】
2005260521.tif 000005
【図４】
2005260521.tif 000006
【図５】
2005260521.tif 000007
【図６】
2005260521.tif 000008
【図７】
2005260521.tif 000009
【図８】
2005260521.tif 000010
【図９】
2005260521.tif 000011
【図１０】
2005260521.tif 000012
【図１１】
2005260521.tif 000013
【図１２】
2005260521.tif 000014
【図１３】
2005260521.tif 000015
【図１４】
2005260521.tif 000016
【図１５】
2005260521.tif 000017
【図１６】
2005260521.tif 000018
【図１７】
2005260521.tif 000019
【図１８】
2005260521.tif 000020
【図１９】
2005260521.tif 000021
【図２０】
2005260521.tif 000022
【図２１】
2005260521.tif 000023
【図２２】
2005260521.tif 000024
【図２３】
2005260521.tif 000025
【図２４】
2005260521.tif 000026
【図２５】
2005260521.tif 000027
【図２６】
2005260521.tif 000028
【図２７】
2005260521.tif 000029